(57)【要約】【課題】本発明の目的とするところは、複数のデバイスと同期化したコンテンツを共有することができる端末装置及び端末装置の制御方法を提供することにある。【解決手段】端末装置が開示される。端末装置は、コンテンツを再生するマルチメディア部と、通信を行うための通信部と、外部装置と通信接続情報を共有する近距離通信モジュールと、コンテンツ再生中に外部装置とタグ付けされると、通信接続情報に応じて、外部装置と通信接続され、同期化信号及び再生中のコンテンツを伝送するように通信部を制御する制御部とを含む。それにより、端末装置は、複数の外部装置を制御することができるＵＩを用いて外部装置と同期化したコンテンツ共有が可能となる。【選択図】図２
2014128032.tif 000002
【特許請求の範囲】
【請求項１】
端末装置において、
コンテンツを再生するマルチメディア部と、
通信を行うための通信部と、
外部装置と通信接続情報を共有する近距離通信モジュールと、
コンテンツ再生中に前記外部装置とタグ付けされると、前記通信接続情報に応じて、前記外部装置と通信接続され、同期化信号及び前記再生中のコンテンツを伝送するように前記通信部を制御する制御部と
を含む端末装置。
【請求項２】
前記同期化信号は、
前記外部装置とコンテンツ再生時間とをリアルタイムで同期化するための信号であることを特徴とする請求項１に記載の端末装置。
【請求項３】
前記制御部は、
前記マルチメディア部で前記コンテンツが再生中の状態で通信が接続されると、前記コンテンツのうち、前記通信接続時点で未再生のコンテンツ部分を前記外部装置にストリーミング方式で伝送するように制御することを特徴とする請求項１に記載の端末装置。
【請求項４】
前記制御部は、
前記コンテンツ及び前記外部装置がそれぞれ複数個の場合、複数のコンテンツをユーザの選択に応じて、複数の外部装置に分離して伝送するように制御することを特徴とする請求項１に記載の端末装置。
【請求項５】
前記複数の外部装置を複数のグループにグルーピングするためのグルーピング画面をディスプレイするディスプレイ部を更に含み、
前記制御部は、
前記複数のコンテンツのうち、前記複数のグループのそれぞれに対して伝送するコンテンツが選択されると、選択されたコンテンツ及び当該コンテンツに対応する同期化信号を各グループ別に伝送するように制御することを特徴とする請求項４に記載の端末装置。
【請求項６】
前記制御部は、
新規外部装置とタグ付けされると、前記グルーピング画面を前記ディスプレイ部にディスプレイし、前記グルーピング画面に表示された前記複数のグループのうちの一つが選択されると、前記タグ付けされた新規外部装置を前記選択されたグループに含めることを特徴とする請求項５に記載の端末装置。
【請求項７】
前記制御部は、
前記コンテンツの出力状態を調整するための制御メニューを含むグループ制御画面を前記ディスプレイ部にディスプレイするように制御することを特徴とする請求項５に記載の端末装置。
【請求項８】
前記制御部は、
前記複数のグループのうちの一つのグループに対する調整命令が入力されると、前記調整命令を前記一つのグループに属する外部装置にそれぞれ伝送し、前記外部装置の全てのコンテンツ出力状態を同時に調整することを特徴とする請求項７に記載の端末装置。
【請求項９】
コンテンツを再生するステップと、
コンテンツ再生中に外部装置とタグ付けされると、通信接続情報を共有し、前記外部装置と通信接続するステップと、
同期化信号及び前記コンテンツのオーディオ信号を構成する複数のチャネルサウンドのうち、予め設定されたチャネルサウンドが、前記タグ付けされた外部装置から出力されるように処理して伝送するステップと
を含む端末装置の制御方法。
【請求項１０】
前記伝送するステップは、
前記オーディオ信号を前記複数のチャネルサウンドに分離し、分離されたチャネルサウンドを対応する外部装置に伝送することを特徴とする請求項９に記載の端末装置の制御方法。
【請求項１１】
前記伝送するステップは、
前記コンテンツのオーディオ信号を構成する複数のチャネルサウンドのうち、前記外部装置から出力するチャネルサウンドを指定したチャネルサウンド情報及び前記オーディオ信号を前記外部装置に伝送し、前記複数のチャネルサウンドのそれぞれが対応する装置から出力されるようにすることを特徴とする請求項９に記載の端末装置の制御方法。
【請求項１２】
前記複数のチャネルサウンドは、
フロントレフトチャネルサウンド、フロントライトチャネルサウンド、リアレフトチャネルサウンド、リアライトチャネルサウンド、中央チャネルサウンド及びウーファーチャネルサウンドのうち、少なくとも一つを含むことを特徴とする請求項１０に記載の端末装置の制御方法。
【発明の詳細な説明】
【技術分野】
【０００１】
本発明は、端末装置及び制御方法に関し、より詳細には、出力可能な装置とコンテンツを共有する端末装置及び制御方法に関する。
【背景技術】
【０００２】
無線通信技術と携帯機器との発達により、デバイス間の接続が無線で可能となり、このような変化により、大容量のメディアコンテンツの再生も無線で可能とするソリューションが多く開発されている。ＤＬＮＡ（Ｄｉｇｉｔａｌ  Ｌｉｖｉｎｇ  Ｎｅｔｗｏｒｋ  Ａｌｌｉａｎｃｅ）やＡｉｒ  Ｐｌａｙ等のようなソリューションは、インターネットを通じてメディアを伝達して再生する代表的な技術である。
【０００３】
一般に、既存技術は、１：１接続を通じてサーバは、ストリーマー（ｓｔｒｅａｍｅｒ）またはコントローラ（ｃｏｎｔｒｏｌｌｅｒ）として動作し、クライアントはプレーヤとして動作する形態で構成されている。よって、複数のクライアントと接続されて動作することができないという短所がある。ＤＬＮＡは、メディア共有技術で遠隔地装置と接続し、メディアをストリーミングし、１：１または１：Ｎ接続は可能であるが、メディア同期化をサポートしない。なお、既存のメディアプレーヤは１：１接続のシナリオを有しているため、マルチデバイスに対する接続、コントローラ及びグループに対するＵＩ／ＵＸ（Ｕｓｅｒ  Ｉｎｔｅｒｆａｃｅ／Ｕｓｅｒ  ｅＸｐｅｒｉｅｎｃｅ）が考慮されていなかった。
【０００４】
よって、マルチデバイスの接続が可能であり、マルチデバイスとの同期化を最適化し、リアルタイムストリーミング再生（Ｒｅａｌ  Ｔｉｍｅ  Ｓｔｒｅａｍｉｎｇ  Ｐｌａｙ）サービスを行うことができる遠隔制御、グループ制御及び制御ＵＩに関連する技術に対する必要性が出てきた。
【先行技術文献】
【特許文献】
【０００５】
【特許文献１】米国特許出願公開第２０１１／０１６７１６８号公報
【発明の概要】
【発明が解決しようとする課題】
【０００６】
そこで、本発明は、上記問題に鑑みてなされたものであり、本発明の目的とするところは、複数のデバイスと同期化したコンテンツを共有することができる端末装置及び端末装置の制御方法を提供することにある。
【課題を解決するための手段】
【０００７】
本発明の上述の目的を達成するための一実施形態に係る端末装置は、コンテンツを再生するマルチメディア部と、通信を行うための通信部と、外部装置と通信接続情報を共有する近距離通信モジュールと、コンテンツ再生中に前記外部装置とタグ付けされると、前記通信接続情報に応じて、前記外部装置と通信接続され、同期化信号及び前記再生中のコンテンツを伝送するように前記通信部を制御する制御部とを含む。
【０００８】
そして、前記同期化信号は、前記外部装置とコンテンツ再生時間とをリアルタイムで同期化するための信号であってよい。
【０００９】
一方、前記制御部は、前記マルチメディア部で前記コンテンツが再生中の状態で通信が接続されると、前記コンテンツのうち、前記通信接続時点で未再生のコンテンツ部分を前記外部装置にストリーミング方式で伝送するように制御してよい。
【００１０】
そして、前記制御部は、前記コンテンツ及び前記外部装置がそれぞれ複数個の場合、複数のコンテンツをユーザの選択に応じて、複数の外部装置に分離して伝送するように制御してよい。
【００１１】
一方、端末装置は、前記複数の外部装置を複数のグループにグルーピングするためのグルーピング画面をディスプレイするディスプレイ部を更に含み、前記制御部は、前記複数のコンテンツのうち、前記複数のグループのそれぞれに対して伝送するコンテンツが選択されると、選択されたコンテンツ及び当該コンテンツに対応する同期化信号を各グループ別に伝送するように制御してよい。
【００１２】
そして、前記制御部は、新規外部装置とタグ付けされると、前記グルーピング画面を前記ディスプレイ部にディスプレイし、前記グルーピング画面に表示された前記複数のグループのうちの一つが選択されると、前記タグ付けされた新規外部装置を前記選択されたグループに含めてよい。
【００１３】
なお、前記制御部は、前記コンテンツの出力状態を調整するための制御メニューを含むグループ制御画面を前記ディスプレイ部にディスプレイするように制御してよい。
【００１４】
そして、前記制御部は、前記複数のグループのうちの一つのグループに対する調整命令が入力されると、前記調整命令を前記一つのグループに属する外部装置にそれぞれ伝送し、前記外部装置の全てのコンテンツ出力状態を同時に調整してよい。
【００１５】
本発明の上述の目的を達成するための別の実施形態に係る端末装置は、コンテンツを再生するマルチメディア部と、通信を行うための通信部と、外部装置と通信接続情報を共有する近距離通信モジュールと、コンテンツ再生中に前記外部装置とタグ付けされると、前記通信接続情報に応じて、前記外部装置と通信接続されるように前記通信部を制御する制御部とを含み、前記制御部は、同期化信号及び前記コンテンツのオーディオ信号を構成する複数のチャネルサウンドのうち、予め設定されたチャネルサウンドが前記タグ付けされた外部装置に出力するように処理する。
【００１６】
そして、前記制御部は、前記オーディオ信号を前記複数のチャネルサウンドに分離し、分離された複数のチャネルサウンドのうち、予め設定されたチャネルサウンドを前記外部装置に伝送するように制御してよい。
【００１７】
なお、前記制御部は、前記コンテンツのオーディオ信号を構成する複数のチャネルサウンドのうち、前記外部装置から出力するチャネルサウンドを指定したチャネルサウンド情報及び前記オーディオ信号を前記外部装置に伝送し、前記複数のチャネルサウンドのそれぞれが対応する装置から出力されるように制御してよい。
【００１８】
一方、前記複数のチャネルサウンドは、フロントレフトチャネルサウンド、フロントライトチャネルサウンド、リアレフトチャネルサウンド、リアライトチャネルサウンド、中央チャネルサウンド及びウーファーチャネルサウンドのうち、少なくとも一つを含んでよい。
【００１９】
本発明の上述の目的を達成するための一実施形態に係る端末装置の制御方法は、コンテンツを再生するステップと、コンテンツ再生中に外部装置とタグ付けされると、通信接続情報を共有し、前記外部装置と通信接続するステップと、同期化信号及び前記再生中のコンテンツを伝送するステップとを含む。
【００２０】
そして、前記同期化信号は、前記外部装置とコンテンツ再生時間とをリアルタイムで同期化するための信号であってよい。
【００２１】
一方、前記伝送するステップは、前記コンテンツが再生中の状態で通信が接続されると、前記コンテンツのうち、前記通信接続時点で未再生のコンテンツ部分を前記外部装置にストリーミング方式で伝送してよい。
【００２２】
そして、前記伝送するステップは、前記コンテンツ及び前記外部装置がそれぞれ複数個の場合、複数のコンテンツをユーザの選択に応じて、複数の外部装置に分離して伝送してよい。
【００２３】
一方、端末装置の制御方法は、前記複数の外部装置を複数のグループにグルーピングするためのグルーピング画面をディスプレイするステップを更に含み、前記伝送するステップは、前記複数のコンテンツのうち、前記複数のグループのそれぞれに対して伝送するコンテンツが選択されると、選択されたコンテンツ及び当該コンテンツに対応する同期化信号を各グループ別に伝送してよい。
【００２４】
そして、端末装置の制御方法は、新規外部装置とタグ付けされると、前記グルーピング画面をディスプレイするステップと、前記グルーピング画面に表示された前記複数のグループのうちの一つが選択されると、前記タグ付けされた新規外部装置を前記選択されたグループに含めるステップとを更に含んでよい。
【００２５】
なお、端末装置の制御方法は、前記コンテンツの出力状態を調整するための制御メニューを含むグループ制御画面をディスプレイするステップを更に含んでよい。
【００２６】
そして、端末装置の制御方法は、前記複数のグループのうちの一つのグループに対する調整命令が入力されると、前記調整命令を前記一つのグループに属する外部装置にそれぞれ伝送し、前記外部装置の全てのコンテンツ出力状態を同時に調整するステップを更に含んでよい。
【００２７】
本発明の上述の目的を達成するための別の実施形態に係る端末装置の制御方法は、コンテンツを再生するステップと、コンテンツ再生中に外部装置とタグ付けされると、通信接続情報を共有し、前記外部装置と通信接続するステップと、同期化信号及び前記コンテンツのオーディオ信号を構成する複数のチャネルサウンドのうち、予め設定されたチャネルサウンドが前記タグ付けされた外部装置に出力するように処理するステップとを含む。
【００２８】
そして、前記伝送するステップは、前記オーディオ信号を前記複数のチャネルサウンドに分離し、分離された複数のチャネルサウンドのうち、予め設定されたチャネルサウンドを前記外部装置に伝送してよい。
【００２９】
なお、前記伝送するステップは、前記コンテンツのオーディオ信号を構成する複数のチャネルサウンドのうち、前記外部装置から出力するチャネルサウンドを指定したチャネルサウンド情報及び前記オーディオ信号を前記外部装置に伝送し、前記複数のチャネルサウンドのそれぞれが対応する装置から出力されるようにしてよい。
【００３０】
一方、前記複数のチャネルサウンドは、フロントレフトチャネルサウンド、フロントライトチャネルサウンド、リアレフトチャネルサウンド、リアライトチャネルサウンド、中央チャネルサウンド及びウーファーチャネルサウンドのうち、少なくとも一つを含んでよい。
【発明の効果】
【００３１】
以上説明したように、本発明によれば、端末装置は、マルチデバイスとの同期化を最適化し、制御ＵＩを用いてリアルタイムストリーミング再生サービスを行うことができる。
【図面の簡単な説明】
【００３２】
【図１】本発明の一実施形態に係るコンテンツを共有する外部装置を説明するための図である。
【図２】本発明の一実施形態に係る端末装置のブロック図である。
【図３】本発明の一実施形態に係るコンテンツ同期化を説明するためのブロック図である。
【図４】本発明の一実施形態に係る複数の端末装置によるメディア再生を説明するための図である。
【図５】本発明の多様な実施形態に係るグループ管理画面を説明するための図である。
【図６】本発明の多様な実施形態に係るグループ管理画面を説明するための図である。
【図７】本発明の多様な実施形態に係るグループ管理画面を説明するための図である。
【図８】本発明の多様な実施形態に係るグループ管理画面を説明するための図である。
【図９】本発明の多様な実施形態に係るグループ管理画面を説明するための図である。
【図１０】本発明の多様な実施形態に係るグループ管理画面を説明するための図である。
【図１１】本発明の多様な実施形態に係るグループ管理画面を説明するための図である。
【図１２】本発明の一実施形態に係るステレオで出力する方法を説明するための図である。
【図１３】本発明の一実施形態に係るグループ制御画面を説明するための図である。
【図１４】本発明の一実施形態に係る近距離無線通信を用いてコンテンツを共有する過程を説明するための図である。
【図１５】本発明の別の実施形態に係る端末装置のブロック図である。
【図１６】本発明の一実施形態に係る近距離無線通信を用いて外部装置をグルーピングする過程を説明する図である。
【図１７】本発明の別の実施形態に係るステレオで出力する方法を説明する図である。
【図１８】本発明の多様な実施形態に係る端末装置の構成を説明するためのブロック図である。
【図１９】本発明の一実施形態に係る端末装置のシステム階層構造を説明するための図である。
【図２０】近接タッチを検知する方法を説明するための図である。
【図２１】本発明の一実施形態に係る端末装置の制御方法のフローチャートである。
【図２２】本発明の別の実施形態に係る端末装置の制御方法のフローチャートである。
【発明を実施するための形態】
【００３３】
以下、添付の図を参照して本発明に係る実施形態について詳細に説明する。そして、本発明を説明するうえで、関連の公知機能又は構成要素に対する具体的な説明が、本発明の要旨を無闇に曖昧にすると判断される場合、その詳細な説明は省略する。そして、後述の用語は、本発明における機能を考慮して定義された用語として、それはユーザや運用者の意図または慣例等によって異なってよい。そのため、その定義は、本明細書の全般にわたる内容に基づいて判断すべきである。
【００３４】
図１は、本発明の一実施形態に係るコンテンツを共有する外部装置を説明するための図である。図１に示すように、端末装置１００は、複数の装置と接続されてよい。例えば、端末装置１００または外部装置は、携帯電話１００ａと、ノートパソコン２００と、タブレットパソコン３００と、スピーカ４００等があってよい。なお、コンテンツを受信して再生することができる機能が含まれているデジタルフォトフレーム、デスクトップパソコン、ＰＤＡ、ＭＰ３、ナビゲーション、モニタ等のように、多様な装置であってよい。
【００３５】
ユーザは、端末装置１００で共有しようとするコンテンツと外部装置を選択する。外部装置は、複数選択されてよい。その後、端末装置１００でコンテンツ共有機能が選択されると、端末装置１００は選択された外部装置に選択されたコンテンツを伝送する。コンテンツ共有機能とは、複数の装置の間でコンテンツを共有して再生することができる機能である。具体的に、ＤＬＮＡ（Ｄｉｇｉｔａｌ  Ｌｉｖｉｎｇ  Ｎｅｔｗｏｒｋ  Ａｌｌｉａｎｃｅ）等を利用してよい。
【００３６】
コンテンツ共有機能を行ううえで、端末装置１００はコンテンツを提供するＤＭＳ（Ｄｉｇｉｔａｌ  Ｍｕｌｔｉｍｅｄｉａ  Ｓｅｒｖｅｒ）として動作することができる。そして、外部装置は、端末装置１００から提供されるコンテンツを再生するＤＭＲ（Ｄｉｇｉｔａｌ  Ｍｕｌｔｉｍｅｄｉａ  Ｒｅｎｄｅｒｅｒ）またはＤＭＰ（Ｄｉｇｉｔａｌ  Ｍｕｌｔｉｍｅｄｉａ  Ｐｌａｙｅｒ）として動作することができる。端末装置１００は、外部装置に同期化信号を同時に伝送することができる。それにより、外部装置は、受信したコンテンツを同期化して再生することができる。すなわち、同期化信号は、外部装置とコンテンツ再生時間をリアルタイムで同期化するための信号である。具体的な端末装置１００のＵＩ及び同期化過程については、後述する。以下では、端末装置１００の構成部について説明する。
【００３７】
図２は、本発明の一実施形態に係る端末装置のブロック図である。
【００３８】
図２の（１）を参照すると、端末装置１００は、通信部１１０と、ディスプレイ部１２０及び制御部１３０を含む。図２の（１）は、端末装置１００がコンテンツを伝送する役割を担う際の構成を示すブロック図である。
【００３９】
入力部（図示せず）は、コンテンツ共有命令を受信する。入力部が、コンテンツ共有命令を入力されると、ディスプレイ部１２０を介してコンテンツ選択画面及び外部機器選択画面をディスプレイすることができる。
【００４０】
通信部１１０は、ユーザによってコンテンツ共有命令が入力されると、外部装置と通信を行って接続情報を受信し、外部装置からコンテンツ伝送要求を受信する。そして、通信部１１０は、選択された外部装置に外部装置に同期化再生のための同期化信号を伝送し、選択されたコンテンツを伝送する。一実施形態として、通信部１１０は、近距離通信モジュールを含むことができる。この場合、近距離通信モジュールを含む新規外部装置が端末装置１００にタグ付けされると、接続情報を受信し、新規外部装置と通信接続を行う。端末装置１００は、接続された通信方式を用いて再生中のコンテンツを新規外部装置に伝送することができる。近距離通信モジュールを利用したコンテンツ伝送過程については、後述する。なお、通信部１１０は、コンテンツ再生動作が行われる途中に、コンテンツ共有命令が入力されると、新規外部装置と通信を行う。その後、端末装置１００は、再生中のコンテンツを新規外部装置に伝送することができる。例えば、通信方式は、ＢＴ（ＢｌｕｅＴｏｏｔｈ（登録商標））、Ｚｉｇｂｅｅ（登録商標）、Ｗｉ−Ｆｉ（Ｗｉｒｅｌｅｓｓ  Ｆｉｄｅｌｉｔｙ）等の多様な通信方式を通じて通信を行うことができる。
【００４１】
ディスプレイ部１２０は、通信部１１０と通信可能な外部装置を表示し、ユーザの命令に応じて検索された外部装置をグルーピングするためのグルーピング画面及びコンテンツ選択画面を表示する。なお、ディスプレイ部１２０は、グループ管理画面またはグループ制御画面を表示することができる。
【００４２】
例えば、ディスプレイ部１２０は、液晶ディスプレイパネル（Ｌｉｑｕｉｄ  Ｃｒｙｓｔａｌ  Ｄｉｓｐｌａｙ  Ｐａｎｅｌ：ＬＣＤ  Ｐａｎｅｌ）、プラズマディスプレイパネル（Ｐｌａｓｍａ  Ｄｉｓｐｌａｙ  Ｐａｎｅｌ：ＰＤＰ）、有機発光素子（Ｏｒｇａｎｉｃ  Ｌｉｇｈｔ  Ｅｍｉｔｔｉｎｇ  Ｄｉｏｄｅ：ＯＬＥＤ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ  Ｅｍｉｓｓｉｏｎ  Ｄｉｓｐｌａｙ）, ＥＬＤ（Ｅｌｅｃｔｒｏ  Ｌｕｍｉｎｅｓｃｅｎｃｅ  Ｄｉｓｐｌａｙ）等の多様なディスプレイユニットで実現されてよい。一方、ディスプレイ部１２０は、タッチ入力機能のない一般のディスプレイパネルで実現されてよく、近接センサやタッチセンサを用いたユーザ操作を認識することができるタッチディスプレイパネルで実現されてよい。タッチディスプレイパネルで実現される場合、ユーザの身体（例えば、親指を含む指）または検知可能な入力手段（例えば、スタイラスペン）を通じて少なくとも一つのタッチジェスチャを入力されることができる。
【００４３】
制御部１３０は、グルーピング画面上で検索された外部装置が少なくとも一つのグループにグルーピングされると、共有対象であるコンテンツをユーザによって選択されたグループに属する外部装置に一括伝送する。このとき、制御部１３０は、外部装置のコンテンツ再生動作を同期化し、再生動作を制御することができる。すなわち、制御部１３０は、通信可能な外部装置を複数のグループにグルーピングし、それぞれのグループ別に別個のコンテンツを選択し、それぞれのコンテンツをそれぞれのグループに伝送するように制御することができる。このとき、各グループ別に同期化したコンテンツ再生動作が行われるように処理することができる。なお、端末装置１００でコンテンツが再生中の場合、新規外部装置が接続されると、制御部１３０は新規外部装置に再生中のコンテンツを伝送することができる。制御部１３０は、新規外部装置から受信したコンテンツを同期化して再生することができるように制御することができる。
【００４４】
なお、制御部１３０は、コンテンツに対する制御命令が入力されると、制御命令に応じてコンテンツの出力状態を調整するための調整命令を外部装置にそれぞれ伝送する。例えば、第１グループに属する少なくとも一つの外部装置でコンテンツが再生される間、ユーザによって第１グループのコンテンツ再生を一時停止させる命令が入力されてよい。制御部１３０は、第１グループのコンテンツ再生を一時停止する制御命令を第１グループに属する外部装置に伝送することができる。なお、制御部１３０は、新規外部装置からコンテンツ伝送要求があると、認証過程を行った後、選択されたコンテンツを伝送することができる。例えば、新規外部装置のコンテンツ伝送要求は、近距離通信モジュールを用いて行うことができる。具体的な過程については、後述する。
【００４５】
このように、端末装置１００は、上述の構成部で行われる機能によって複数の外部装置で同期化したコンテンツ再生を可能とする。
【００４６】
図２の（２）を参照すると、端末装置１００は、通信部１１０と、近距離通信モジュール１１３と、制御部１３０及びマルチメディア部１４０を含む。端末装置１００は、同様の構成部を含み、受信側動作または送信側動作を行うことができる。
【００４７】
通信部１１０は、近距離通信モジュール１１３を含むことができる。受信側端末装置１００の近距離通信モジュール１１３は、コンテンツを伝送する端末装置の近距離通信モジュールとタグ付けされると、接続情報をリーディング（ｒｅａｄｉｎｇ）する。通信部１１０は、リーディングした接続情報に基づいてコンテンツを伝送する端末装置と接続して通信を行う。なお、通信部１１０は、コンテンツを伝送する端末装置から同期化のための情報及びコンテンツを受信する。すなわち、コンテンツを伝送する端末装置１００の近距離通信モジュール１１３は外部装置がタグ付けされると、外部装置と通信接続情報を共有する。近距離通信モジュール１１３は、接続情報を外部装置の近距離通信モジュールに伝送することができる。通信部１１０は、外部装置と通信接続情報を共有して通信を接続すると、外部装置に同期化信号及び再生中のコンテンツを伝送する。例えば、同期化信号及びコンテンツは、Ｗｉ−Ｆｉ等のような無線ＬＡＮ規格（ＩＥＥＥ８０２．１１ｘ）方式、ブルートゥース等のような方式で伝送されてよい。
【００４８】
上述の過程は一実施形態であり、外部装置とタグ付けされると、送信側端末装置１００の近距離通信モジュール１１３が外部装置から接続情報をリーディングして通信を接続することもできる。
【００４９】
制御部１３０は、コンテンツを伝送する端末装置とタグ付けされると、コンテンツ共有モードに自動切り替え、接続情報に応じてコンテンツを伝送する端末装置にアクセスし、コンテンツを伝送する端末装置で再生中のコンテンツを受信するように通信部１１０を制御する。なお、制御部１３０は、受信されたコンテンツを同期化させ、再生することができるように端末装置１００の各構成部を制御する。
【００５０】
なお、端末装置１００は、コンテンツのオーディオ信号を構成する複数のチャネルサウンド信号のそれぞれが対応する外部装置から出力されるように処理することができる。例えば、制御部１３０は、コンテンツのオーディオ信号を複数のチャネルサウンドに分離し、分離された複数のチャネルサウンドのそれぞれを同期化信号とともに対応する外部装置に伝送するように制御することができる。
【００５１】
または、制御部１３０は、ユーザの選択に応じて、特定外部装置から出力するチャネルサウンドを指定したチャネルサウンド情報を生成することができる。例えば、チャネルサウンドは、フロントレフトチャネルサウンド、フロントライトチャネルサウンド、リアレフトチャネルサウンド、リアライトチャネルサウンド、中央チャネルサウンド及びウーファーチャネルサウンドのうち、少なくとも一つであってよい。チャネルサウンド情報は、複数のチャネルサウンドのうち、いずれかのチャネルサウンドを出力するかを知ることができる情報であってよい。制御部１３０は、コンテンツのオーディオ信号、同期化信号、生成されたチャネルサウンド情報を特定外部装置に伝送することができる。特定外部装置は、受信したチャネルサウンド情報を用いて受信したコンテンツのオーディオ信号からチャネルサウンドを分離し、受信された同期化信号を用いて分離されたチャネルサウンドを出力することができる。
【００５２】
マルチメディア部１４０は、コンテンツを伝送する端末装置のコンテンツ再生動作と同期化させて受信されたコンテンツを再生する。以下では、コンテンツ同期化のためのブロック図を参照して同期化方法について説明する。
【００５３】
図３は、本発明の一実施形態に係るコンテンツ同期化を説明するためのブロック図である。図３によると、システム階層（Ｓｙｓｔｅｍ  Ｌａｙｅｒ）１１１０と、コントロールフレームワーク階層（Ｃｏｎｔｒｏｌ  Ｆｒａｍｅｗｏｒｋ  Ｌａｙｅｒ）１１７０と、コンテンツ共有アプリケーションが行われるアプリケーション階層（Ａｐｐｌｉｃａｔｉｏｎ  Ｌａｙｅｒ）１１９０を含む。コントロールフレームワーク階層１１７０は、コンテンツを伝送する端末装置１００でコンテンツキャスト管理者（Ｃｏｎｔｅｎｔ  Ｃａｓｔ  Ｍａｎａｇｅｒ）１１３０として存在する。コンテンツを受信して再生する外部装置では、共有プレーヤ（Ｓｈａｒｅ  Ｐｌａｙｅｒ）１１５０として存在する。
【００５４】
システム階層１１１０は、ファイル入出力（Ｆｉｌｅ  Ｉ／Ｏ）モジュールと、ＴＣＰ（Ｔｒａｎｓｍｉｓｓｉｏｎ  Ｃｏｎｔｒｏｌ  Ｐｒｏｔｏｃｏｌ）、ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）モジュール、Ｔｉｍｅ  ＡＰＩ（Ａｐｐｌｉｃａｔｉｏｎ  Ｐｒｏｇｒａｍｍｉｎｇ  Ｉｎｔｅｒｆａｃｅ）モジュール、Ａ／Ｖモジュールを含む。システム階層１１１０の各モジュールは、一般的な構成であるため、説明は省略する。
【００５５】
コンテンツを伝送する端末装置１００のコントロールフレームワーク階層に該当するコンテンツキャスト管理者１１３０は、グループ管理者（Ｇｒｏｕｐ  Ｍａｎａｇｅｒ）モジュール１１３１、装置検索（Ｄｅｖｉｃｅ  Ｓｃａｎｎｅｒ）モジュール１１３３と、ＡＶストリーマー（ＡＶ  Ｓｔｒｅａｍｅｒ）モジュール１１３５を含む。グループ管理者モジュール１１３１は、検索された外部装置をグループで管理し、構成されたグループを保存またはロード（ｌｏａｄ）する役割を担う。なお、チャネルモード、グループ属性の管理を担当する。装置検索モジュール１１３３は、外部装置を検索する。このとき、コンテンツ共有サービスのための予め設定されたマルチキャストアドレス（ｍｕｌｔｉｃａｓｔ  ａｄｄｒｅｓｓ）を使用する。ＡＶストリーマー１１３５は、時間同期化（Ｃｌｏｃｋ  Ｓｙｎｃｅｒ）モジュール１１３５−１と、セッション制御（Ｓｅｓｓｉｏｎ  Ｃｏｎｔｒｏｌ）１１３５−２と、スケジューラ（Ｓｃｈｅｄｕｌｅｒ）モジュール１１３５−３と、ストリーム送信者（Ｓｔｒｅａｍ  Ｓｅｎｄｅｒ）モジュール１１３５−４と、チャネルデマルチプレクサ（Ｃｈａｎｎｅｌ  Ｄｅｍｕｘｅｒ）モジュール１１３５−５と、メディアパーサー（Ｍｅｄｉａ  Ｐａｒｓｅｒ）モジュール１１３５−６とを含む。
【００５６】
同期化したコンテンツを再生するために、外部装置との間の時間同期化は必須である。時間同期化モジュール１１３５−１は、外部装置の時間同期化作業のための時間同期化パケットを外部装置に伝送する。セッション制御モジュール１１３５−２は、外部装置とコンテンツ再生のためにコンテンツ設定作業を担う。セッション制御モジュール１１３５−２は、ＲＴＰＳ（Ｒｅａｌ−Ｔｉｍｅ  Ｐｕｂｌｉｓｈ−Ｓｕｂｓｃｒｉｂｅ）プロトコルを使用することができる。スケジューラモジュール１１３５−３は、コンテンツストリーム伝送をスケジューリングする。スケジューラモジュール１１３５−３は、ＵＤＰを利用することができる。ストリーム伝送者モジュール１１３５−４は、コンテンツストリームを伝送する。チャネルデマルチプレクサモジュール１１３５−５は、コンテンツ伝送のために、チャネルをデマルチプレキシングして必要なチャネルにコンテンツを伝送する。メディアパーサーモジュール１１３５−６は、コンテンツの信号列を分析し、エラーを点検して外部装置が接近することができる客体を作る役割を担う。
【００５７】
コンテンツを受信する外部装置のコントロールフレームワーク階層に該当するコンテンツキャスト管理者１１３０は、共有プレーヤ１１５０は、制御モジュール１１５１と、再生モジュール１１５３とを含む。制御モジュール１１５１は、端末装置１００で伝送するパケットを処理し、時間同期化、セッション制御、伝送ストリームを制御して管理する。制御モジュール１１５１は、時間同期化モジュール１１５１−１を含む。時間同期化モジュール１１５１−１は、端末装置１００の時間同期化パケットを受信して処理する。再生モジュール１１５３は、時間ハンドラーモジュール１１５３−１、スケジューラモジュール１１５３−２、Ａ／Ｖ出力制御モジュール１１５３−３を含む。時間ハンドラーモジュール１１５３−１は、伝送されたコンテンツを同期化して再生するための同期化時間を要求し、受信された同期化信号受信時間情報と誤差を検出して調整する役割を担う。スケジューラモジュール１１５３−２は、同期化した時間を参照して出力時点をスケジューリングする。Ａ／Ｖ出力制御モジュール１１５３−３は、コンテンツ同期化のために、外部装置の出力を制御する。コンテンツを同期化して再生する過程の一実施形態は以下のとおりである。
【００５８】
端末装置１００は、複数の外部装置のうち、同期化基準受信装置を選定して同期化基準受信装置に関する情報を他外部装置に伝送し、同期化信号パケットを外部装置に任意の周期で伝送する。外部装置は、受信されたパケットの受信時間を記録し、同期化基準受診装置から同期化信号受信時間情報を受信して同期化信号受信時間誤差を計算する。検索された誤差が負数値である場合、同期化基準受信装置対比誤差の分だけ先に任意の動作を行う。計算された誤差が正数値である場合、同期化基準受信装置対比誤差の分だけ後で任意の動作を行う。よって、複数の外部装置は、同期化してコンテンツ再生を行うことができる。
【００５９】
図４は、本発明の一実施形態に係る複数の端末装置によるメディア再生を説明するための図である。図４を参照すると、一つの端末装置１００が送信する役割を担い、複数の端末装置１００ａ、１００ｂ、１００ｃを受信する役割を担う図が示されている。
【００６０】
送信側端末装置１００は、ユーザからコンテンツ共有命令を受信し、グループ設定及びコンテンツ選択命令を受信する。図４においては、一つのグループに第１ないし第３受信側端末装置１００ａ、１００ｂ、１００ｃが設定されており、Ｍｕｓｉｃ  Ａが再生しようとするコンテンツとして選択されている。送信側端末装置１００は、ユーザからコンテンツ再生命令が受信されると、Ｍｕｓｉｃ  Ａを再生する。同時に、第１ないし第３受信側端末装置１００ａ、１００ｂ、１００ｃにＭｕｓｉｃ  Ａのコンテンツストリームを伝送する。第１ないし第３受信側端末装置１００ａ、１００ｂ、１００ｃは、送信側端末装置１００からＭｕｓｉｃ  Ａのコンテンツストリームを受信すると、自動的にＭｕｓｉｃ  Ａを再生する。送信側端末装置１００及び第１ないし第３受信側端末装置１００ａ、１００ｂ、１００ｃは、Ｍｕｓｉｃ  Ａを同期化して再生する。すなわち、図４に示すように、送信側端末装置１００でＭｕｓｉｃ  Ａの５秒地点を再生する時点で、第１ないし第３受信側端末装置１００ａ、１００ｂ、１００ｃでもＭｕｓｉｃ  Ａの５秒地点が再生される。
【００６１】
Ｍｕｓｉｃ  Ａは、送信側端末装置１００に保存されたコンテンツまたは送信側端末装置１００がサーバ等から受信しているコンテンツであってよい。すなわち、送信側端末装置１００は、保存されたコンテンツをリアルタイムで第１ないし第３受信側端末装置１００ａ、１００ｂ、１００ｃに伝送することができる。または、送信側端末装置１００は、サーバからリアルタイムで受信しつつ、第１ないし第３受信側端末装置１００ａ、１００ｂ、１００ｃに伝送することもできる。送信側端末装置１００がサーバからリアルタイムでコンテンツを受信しつつ伝送する場合、安定したコンテンツ再生のためにバッファリング過程を行うこともできる。よって、第１ないし第３受信側端末装置１００ａ、１００ｂ、１００ｃが受信して再生するコンテンツは、第１ないし第３受信側端末装置１００ａ、１００ｂ、１００ｃに保存されているか否かは問題にならない。
【００６２】
送信側端末装置１００は、コンテンツ再生中に第１ないし第３端末装置１００ａ、１００ｂ、１００ｃに再生中のコンテンツを伝送することもできる。この場合、第１ないし第３端末装置１００ａ、１００ｂ、１００ｃは、送信側端末装置１００で再生中の時点で同期化して受信したコンテンツを再生することができる。
【００６３】
図４に示すＵＩは一実施形態である。送信側端末装置１００は、図４に示すように、再生関連情報を示すＵＩをディスプレイすることができる。または、音楽コンテンツである場合、送信側端末装置１００は、ＵＩをディスプレイせずに、音楽のみを再生することもできる。
【００６４】
送信及び受信側端末装置でコンテンツを同期化して再生するために、グループ設定及びコンテンツ選択が必要である。このようなグループ設定及びコンテンツ選択に関連し、多様な方法でＵＩ／ＵＸを構成することができる。以下では、グループ管理画面及びグループ制御画面の多様な実施形態について説明する。
【００６５】
＜グループ管理画面の多様な実施形態＞
図５は、本発明の多様な実施形態に係るグループ管理画面を説明するための図である。
【００６６】
図５の（１）を参照すると、コンテンツ共有が可能な外部装置として、Ｌａｐｔｏｐ  ＰＣ、Ｍｏｂｉｌｅ  Ａ、Ｍｏｂｉｌｅ  Ｂ、Ｍｏｂｉｌｅ  Ｃ、Ｔａｂｌｅｔ  ＰＣが存在する。端末装置１００は、ユーザによってコンテンツ共有命令が入力されると、機器選択画面１１を表示する。機器選択画面１１は、コンテンツ共有が可能な外部装置を含む。図５の（１）において、タッチ入力１３によって、Ｍｏｂｉｌｅ  Ａ、Ｍｏｂｉｌｅ  Ｂ、Ｍｏｂｉｌｅ  Ｃが選択されている。選択が完了すると、選択されたＭｏｂｉｌｅ  Ａ、Ｍｏｂｉｌｅ  Ｂ、Ｍｏｂｉｌｅ  Ｃは一つのグループに設定される。
【００６７】
図５の（２）を参照すると、Ｍｏｂｉｌｅ  Ａ、Ｍｏｂｉｌｅ  Ｂ、Ｍｏｂｉｌｅ  ＣはＡグループ１５に設定されている。Ｌａｐｔｏｐ  ＰＣ、Ｔａｂｌｅｔ  ＰＣは選択されていないため、Ａグループ１５とは別途に表示される。図５の（２）において、グループ未設定領域１７はグループに選択されていない装置をグループに含まれた装置と区別して表示する領域を意味する。別の例として、グループ未設定領域１７は、「グループ未設定」等のようなテキストを表示し、グループに含まれていない装置を表示することもできる。このように、グループを設定して編集し、グループに含まれた外部装置を区別して表示する画面がグループ管理画面である。グループ管理画面で外部装置を区別するＭｏｂｉｌｅ  Ａ、Ｌａｐｔｏｐ  ＰＣのような表示が外部装置に対する識別情報を意味する。識別情報は、各外部装置の固有ＩＤであってよく、製品名または固有番号であってよい。画面に表示される装置は、別の方法によってグループに含めてよく、グループから排除させてよい。
【００６８】
図６は、本発明の一実施形態に係るグループに装置を含めたり、グループから排除させる方法について説明する図である。
【００６９】
図６の（１）によると、Ａグループ１５には、Ｍｏｂｉｌｅ  Ａ、Ｍｏｂｉｌｅ  Ｂ、Ｍｏｂｉｌｅ  Ｃが含まれてよい。グループ未設定領域１７は、グループに含まれていない装置を表示するためのものとして、グループ未設定領域１７には、Ｌａｐｔｏｐ  ＰＣ、Ｔａｂｌｅｔ  ＰＣが存在する。タッチ＆ドラッグ入力１９によって、Ｌａｐｔｏｐ  ＰＣはグループ未設定領域１７からＡグループ１５に移動されてよい。
【００７０】
図６の（２）によると、タッチ＆ドラッグ入力１９によってＬａｐｔｏｐ  ＰＣはＡグループ１５に含まれてよい。この状態で、ユーザはＡグループ１５に含まれた装置をＡグループ１５から排除させることができる。タッチ＆ドラッグ入力２１で、Ｌａｐｔｏｐ  ＰＣをグループ未設定領域１７に移動させる。
【００７１】
図６の（３）によると、タッチ＆ドラッグ入力２１によってＬａｐｔｏｐ  ＰＣはＡグループ１５から排除され、グループ未設定領域１７に移動される。よって、Ａグループ１５には、Ｍｏｂｉｌｅ  Ａ、Ｍｏｂｉｌｅ  Ｂ、Ｍｏｂｉｌｅ  Ｃが含まれ、グループ未設定領域１７には、Ｌａｐｔｏｐ  ＰＣ、Ｔａｂｌｅｔ  ＰＣが含まれる。
【００７２】
これまで、一つのグループが設定され、設定されたグループに外部装置を追加させたり、排除させる方法について説明してきた。端末装置１００は、複数のグループを設定することもできる。
【００７３】
図７は、本発明の一実施形態に係る複数のグループを設定する方法を説明するための図である。端末装置１００は、コンテンツ及び外部装置がそれぞれ複数個である場合、複数のコンテンツをユーザ選択によって複数の外部装置に分離して伝送することができる。
【００７４】
図７の（１）によると、Ａグループ１５には、Ｍｏｂｉｌｅ  Ａ、Ｍｏｂｉｌｅ  Ｂ、Ｍｏｂｉｌｅ  Ｃが含まれており、グループ未設定領域１７には、Ｌａｐｔｏｐ  ＰＣ、Ｔａｂｌｅｔ  ＰＣが含まれている。グループ未設定領域１７の下には、グループ追加項目２３が表示されてよい。図７の（１）に示す画面は一実施形態であり、グループ追加項目２３の他に、グループ削除項目、グループ編集項目、取り消し項目等、多様な項目のうち、少なくとも一つが表示されてよい。または、近接センサを用いて、普段はメニュー項目が表示されず、ユーザ客体（例えば、指先、ペン等）が接近する場合、それを認識してメニュー項目が表示されるように構成されてよい。
【００７５】
図７の（１）で、ユーザは、タッチ入力によってグループ追加項目２３を選択することができる。端末装置１００は、選択されたグループ追加項目２３に対応し、図５の（１）のような機器選択ウィンドウ１１を表示することができる。図７の（１）では、Ａグループ１５のみが生成されているため、次のグループは自動的にＢグループとして生成されてよい。または、端末装置１００は、グループ名を入力するウィンドウを追加で表示することもできる。グループに装置を追加する過程は、図５を参照して説明しているため、省略する。
【００７６】
図７の（２）を参照すると、ユーザはＢグループとしてＴａｂｌｅｔ  ＰＣを選択している。それにより、Ａグループ１５は、Ｍｏｂｉｌｅ  Ａ、Ｍｏｂｉｌｅ  Ｂ、Ｍｏｂｉｌｅ  Ｃを含み、Ｂグループ２５はＴａｂｌｅｔ  ＰＣを含む。何れのグループにも属しないＬａｐｔｏｐ  ＰＣは、グループ未設定領域１７に含まれる。このように、端末装置１００は、少なくとも一つの外部装置を含む複数のグループを設定することができる。以下では、グループを選択してコンテンツを共有する過程について説明する。
【００７７】
図８は、本発明の一実施形態に係るコンテンツを共有する過程を説明する図である。
【００７８】
図８の（１）を参照すると、グループ管理画面は、Ａグループ１５と、Ｂグループ２５と、グループ未設定領域１７とを含む。Ａグループ１５が、ユーザのタッチ入力１３によって選択される。
【００７９】
図８の（２）を参照すると、端末装置１００のグループ管理画面は、Ａグループ１５が選択された状態で、音声選択画面２７に切り替えられる。音楽選択画面２７には、端末装置１００に保存された共有可能な音楽を表示する。図８の（２）では、Ｍｕｓｉｃ  Ａ、Ｍｕｓｉｃ  Ｂ、Ｍｕｓｉｃ  Ｃが表示されている。ユーザのタッチ入力１３によってＭｕｓｉｃ  Ａが選択される。
【００８０】
図８の（３）によると、Ｍｕｓｉｃ  Ａの選択によって端末装置１００は、Ａグループ１５に含まれたＭｏｂｉｌｅ  Ａ、Ｍｏｂｉｌｅ  Ｂ、Ｍｏｂｉｌｅ  ＣにＭｕｓｉｃ  Ａのコンテンツをストリーミングを伝送し、Ｍｏｂｉｌｅ  Ａ、Ｍｏｂｉｌｅ  Ｂ、Ｍｏｂｉｌｅ  ＣでＭｕｓｉｃ  Ａを同期化して再生させる。端末装置１００も、Ｍｕｓｉｃ  Ａを同時に同期化して再生することができる。図８の（３）に示す端末装置１００は、Ｍｕｓｉｃ  Ａの選択を行うと、グループ管理画面に切り替えられる。グループ管理画面は、Ａグループ１５のＭｏｂｉｌｅ  Ａ、Ｍｏｂｉｌｅ  Ｂ、Ｍｏｂｉｌｅ  ＣでＭｕｓｉｃ  Ａが再生されていることを示す状態情報を表示することができる。すなわち、Ｍｏｂｉｌｅ  Ａ、Ｂ、Ｃのそれぞれの側面には、Ｍｕｓｉｃ  Ａ  ｐｌａｙという表示を行うことができる。このような状態情報は、別の方法で可能である。すなわち、状態情報は、再生される外部装置の項目を特定色相で表示して示すことができる。または、再生される外部装置のフォントを変更して表示する方法で示してよく、色相を周期的に変化させて輝度を調節する方法で示してよい。
【００８１】
図８の（３）においては、コンテンツを選択すると、端末装置１００の画面がグループ管理画面に切り替えられる実施形態について示しているが、コンテンツ再生画面を表示することもできる。この場合、端末装置１００の表示画面は、グループ管理画面切り替え項目を用いてグループ管理画面に切り替えさせることができる。
【００８２】
端末装置１００は、複数のグループにそれぞれ異なるコンテンツを伝送して再生させることも可能である。
【００８３】
図９は、複数のグループに相互異なるコンテンツを共有する方法を説明するための図である。
【００８４】
図９の（１）を参照すると、Ａグループ１５に含まれた外部装置は、Ｍｕｓｉｃ  Ａを再生している。ユーザは、タッチ入力１３を用いてＢグループ２５を選択することができる。タッチ入力１３によってＢグループ２５が選択された状態で、端末装置１００の表示画面は音楽選択画面に切り替えられる。
【００８５】
図９の（２）を参照すると、端末装置１００に表示された音楽選択画面２７が示されている。音楽選択画面２７は、共有可能な音楽リストが表示される。ユーザは、タッチ入力１３を用いてＭｕｓｉｃ  Ｃを選択する。
【００８６】
図９の（３）を参照すると、端末装置１００はＡグループ１５に含まれた外部装置がＭｕｓｉｃ  Ａを再生しているという状態情報２９を表示する。そして、Ｂグループ２５に含まれた外部装置がＭｕｓｉｃ  Ｃを再生しているという状態情報３１を表示する。図８の（３）で説明したように、状態情報は、色相、フォント、輝度、色相変化等の多様な方法で表示されてよい。なお、端末装置１００は、グループ管理画面に切り替えられずに再生されるコンテンツを表示することができる。端末装置１００は、複数のグループに複数のコンテンツを伝送する場合、端末装置１００で最初に再生されるコンテンツを引き続き再生することができる。
【００８７】
図８及び図９を参照して説明しているように、端末装置１００は、複数のグループを設定し、各グループ別に別個のコンテンツ伝送及びグループ別の同期化再生を行うことができる。すなわち、ディスプレイ装置１２０は、複数の外部装置を複数のグループにグルーピングするためのグルーピング画面をディスプレイすることができる。端末装置１００は、複数のコンテンツのうち、複数のグループのそれぞれに対して伝送するコンテンツが選択されると、選択されたコンテンツ及び当該コンテンツに対応する同期化信号を各グループ別に伝送することができる。
【００８８】
このとき、新規外部装置がタグ付けされると、端末装置１００は、グルーピング画面をディスプレイすることができる。ユーザの命令に応じて、グルーピング画面に表示された複数のグループのうちの一つが選択されると、端末装置１００は、タグ付けされた新規外部装置を選択されたグループに含めることができる。
【００８９】
図５ないし図９では、グループを先に設定し、コンテンツを選択する方法について説明してきた。別の実施形態として、端末装置１００は、コンテンツを先に選択し、グループを設定してコンテンツを共有することもできる。
【００９０】
図１０は、動画コンテンツを選択してグループを設定する方法を説明するための図である。
【００９１】
図１０の（１）を参照すると、端末装置はコンテンツ共有命令が入力されると、動画選択画面３３を表示する。動画選択画面３３は、共有可能な動画リストが表示される。ユーザは、タッチ入力１３を用いてＭｏｖｉｅ  １を選択する。
【００９２】
図１０の（２）を参照すると、Ｍｏｖｉｅ  １が選択されると、端末装置１００は、グループ設定画面３５に切り替えられる。グループ設定画面３５は、共有可能な外部装置リストが表示される。図１０の（２）には、Ｌａｐｔｏｐ  ＰＣ、Ｍｏｂｉｌｅ  Ａ、Ｍｏｂｉｌｅ  Ｂ、Ｍｏｂｉｌｅ  Ｃ、Ｔａｂｌｅｔ  ＰＣが表示されている。ユーザのタッチ入力１３によって、Ｍｏｂｉｌｅ  Ａ、Ｍｏｂｉｌｅ  Ｂ、Ｍｏｂｉｌｅ  Ｃが選択される。
【００９３】
図１０の（３）を参照すると、グループに含まれる外部機器選択が完了すると、端末装置１００はグループ管理画面に切り替えられる。グループ管理画面は、Ｍｏｂｉｌｅ  Ａ、Ｍｏｂｉｌｅ  Ｂ、Ｍｏｂｉｌｅ  Ｃが含まれたＡグループ３７と、Ｌａｐｔｏｐ  ＰＣ、Ｔａｂｌｅｔ  ＰＣが含まれたグループ未設定領域３９とを表示する。グループ管理画面は、Ａグループ３７に含まれた外部機器でＭｏｖｉｅ  １が再生されているという状態情報４１を同時に表示することができる。上述のように、状態情報は、多様な方法で表示することができる。なお、コンテンツを選択し、グループ設定が完了すると、端末装置１００はコンテンツ再生画面を表示することもできる。
【００９４】
状態情報は、再生、一時停止、他グループが含まれた状態に応じて、多様に表示されてよい。
【００９５】
図１１は、外部装置の状態情報を表示する方法を説明するための図である。
【００９６】
図１１の（１）によると、端末装置１００は、Ｍｏｂｉｌｅ  Ａ、Ｍｏｂｉｌｅ  Ｂ、Ｍｏｂｉｌｅ  ＣをＡグループ１５で構成された状態で、音楽選択画面２７を表示する。ユーザのタッチ入力１３によってＭｕｓｉｃ  Ａが選択される。
【００９７】
図１１の（２）によると、端末装置１００はＡグループ１５に含まれた外部装置でＭｕｓｉｃ  Ａが再生されているという情報４１ａを表示する。ユーザは、一つの外部装置に対する再生を一時停止させることができる。または、各外部装置で再生を一時停止させることもできる。図１１の（２）で、Ｍｏｂｉｌｅ  Ｂに対するコンテンツ再生を一時停止させる。
【００９８】
図１１の（３）によると、端末装置１００は、Ｍｏｂｉｌｅ  Ｂに対してＭｕｓｉｃ  Ａの再生が一時停止されたという状態情報を表示することができる。すなわち、Ｍｏｂｉｌｅ  Ｂに対してｐａｕｓｅを表示４１ｂする。それは一実施形態に過ぎず、多様な方法で状態情報を表示することができる。例えば、再生中の外部装置は青、一時停止中の外部装置は赤、待機中の外部装置はグレー等で表示することもできる。または、再生中の外部装置は太い文字、一時停止中の外部装置はイタリック体、待機中の外部装置は一般のフォントで表示されてよい。または、再生中の外部装置は、輝度変化、一時停止中の外部装置は輝度維持、待機中の外部装置はグレー等で表示されてよい。
【００９９】
これまで、外部装置をグループ別に設定し、各グループ別にコンテンツを伝送して同期化して再生する方法及びＵＩについて説明している。端末装置１００は、複数のグループを設定し、一つのステレオコンテンツをチャネル別に分類して各グループに伝送することで、ステレオサウンドを出力することもできる。
【０１００】
＜ステレオ出力の一実施形態＞
図１２は、本発明の一実施形態に係るステレオで出力する方法を説明するための図である。
【０１０１】
図１２の（１）によると、端末装置１００は、ステレオ出力メニューが選択されると、複数のグループ設定画面を表示する。選択されたコンテンツが５．１チャネルのステレオコンテンツの場合、複数のグループはフロントレフトチャネルグループ４３ａと、フロントライトチャネルグループ４３ｂと、リアレフトチャネルグループ４３ｃと、リアライトチャネルグループ４３ｄと、中央チャネルグループ４３ｅ、ウーファーチャネルグループ４３ｆに分類されてよい。２チャネルステレオコンテンツの場合、複数のグループは、レフトチャネルチャネルグループ、ライトチャネルグループに分類されてよい。
【０１０２】
端末装置１００は、コンテンツ共有が可能な外部装置を表示することができ、ユーザは各グループに表示された外部装置を追加することができる。図１２の（１）においては、フロントレフトチャネルグループ４３ａにはＭｏｂｉｌｅ  Ａ１００ａ、フロントライトチャネルグループ４３ｂにはＭｏｂｉｌｅ  Ｂ１００ｂ、リアレフトチャネルグループ４３ｃにはＭｏｂｉｌｅ  Ｃ１００ｃ、リアライトチャネルグループ４３ｄにはＭｏｂｉｌｅ  Ｄ１００ｄ、中央チャネルグループ４３ｅにはＭｏｂｉｌｅ  Ｅ１００ｅ、ウーファーチャネルグループ４３ｆにはＭｏｂｉｌｅ  Ｆ１００ｆが含まれてよい。コンテンツ選択とグループ設定とが完了すると、端末装置１００は選択されたグループ別に対応するチャネルサウンドを伝送する。
【０１０３】
図１２の（２）によると、各グループに含まれた外部装置は、端末装置１００で伝送するチャネルサウンドを受信して出力する。すなわち、Ｍｏｂｉｌｅ  Ａ１００ａはフロントレフトチャネルサウンドを受信して出力し、Ｍｏｂｉｌｅ  Ｂ１００ｂはフロントライトチャネルサウンドを受信して出力する。Ｍｏｂｉｌｅ  Ｃ１００ｃはリアレフトチャネルサウンドを受信して出力し、Ｍｏｂｉｌｅ  Ｄ１００ｄはリアライトチャネルサウンドを受信して出力する。Ｍｏｂｉｌｅ  Ｅ１００ｅは中央チャネルサウンドを受信して出力し、Ｍｏｂｉｌｅ  Ｆ１００ｆはウーファーチャネルサウンドを受信して出力する。このように、複数の外部装置は、各チャネルサウンドを受信して出力することで、無線でサラウンドシステムを構築することができる。図１２の（２）では、端末装置を例えば説明したが、コンテンツを受信して出力する機能を有するスピーカ等を用いてサラウンドシステムを構築することもできる。
【０１０４】
＜グループ制御画面の一実施形態＞
図１３は、本発明の一実施形態に係るグループ制御画面を説明する図である。コンテンツ共有が実行されると、端末装置１００は、コンテンツ再生画面を表示することができる。
【０１０５】
図１３の（１）を参照すると、コンテンツ再生画面は現在再生中のコンテンツ、予め設定されたイメージ、現在の再生時点を示す状態バーを表示するコンテンツ関連情報領域４５を表示することができる。そして、コンテンツを共有する外部装置を表示する領域４７と、コンテンツ再生に関連する制御命令を表示する領域４９を表示することができる。例えば、制御メニューは、停止、巻き戻し、早送り、再生、一時停止、音量調節等の項目を含むことができる。
【０１０６】
図１３の（１）において、ユーザは端末装置１００で音量ダウン（Ｖｏｌｕｍｅ  ｄｏｗｎ）入力を行う。それにより、端末装置１００は、再生中のコンテンツの出力を下げて音量を下げる動作を行う。なお、コンテンツ共有する外部装置も同様の動作を行うことができる。
【０１０７】
図１３の（２）を参照すると、コンテンツを伝送する端末装置１００と端末装置１００からコンテンツを受信して再生する外部装置１００ａ、１００ｂとが図示されている。外部装置１００ａ、１００ｂも、端末装置１００と同様の画面を表示することができる。場合によって、コンテンツを受信して再生する外部装置１００ａ、１００ｂは、端末装置１００と異なる画面を表示することもできる。端末装置１００でユーザは、音量状態バー５３を用いて音量ダウン入力を行う。端末装置１００に入力された制御命令は、外部装置１００ａ、１００ｂに伝送され、外部装置１００ａ、１００ｂも制御命令による動作を行うことができる。すなわち、端末装置１００で入力された音量ダウン命令は外部装置１００ａ、１００ｂを遠隔制御し、外部装置１００ａ、１００ｂの音量を下げることができる。外部装置１００ａ、１００ｂは、ユーザに直観的に認識させるために、音量状態バー５３ａ、５３ｂを用いて表示することができる。または、このような表示なしに、音量を減らす動作のみを行うこともできる。このように、端末装置１００は、コンテンツを共有する複数の外部装置を遠隔で制御可能である。
【０１０８】
すなわち。端末装置１００は、いずれか一つのグループに対する音量ダウンのような調整命令が入力されると、調整命令を一つのグループに属する外部装置にそれぞれ伝送し、外部装置全てのコンテンツ出力状態を同時に調整することができる。
【０１０９】
＜コンテンツ共有の別の実施形態＞
図１４は、本発明の一実施形態に係る近距離無線通信を用いてコンテンツを共有する過程を説明するための図である。
【０１１０】
図１４（１）によると、端末装置１００は、Ｍｕｓｉｃ  Ｂを再生しており、Ｍｕｓｉｃ  Ｂは第１及び第２外部装置１００ａ、１００ｂに伝送されて、同期化して再生されている。すなわち、マルチメディア部１４０は、コンテンツを再生する。図１４の（１）の端末装置画面５５の状態バー、及び、第１及び第２外部装置画面５５ａ、５５ｂの状態バーは、Ｍｕｓｉｃ  Ｂの現在再生中の時点である００：１３を表示している。第３外部装置１００ｃが端末装置１００とタグ付けされる。このとき、第３外部装置１００ｃは、端末装置１００から接続情報をリーディング（ｒｅａｄｉｎｇ）する。すなわち、近距離通信モジュール１１３は、端末装置１００に外部装置がタグ付けされると、外部装置の接続情報を共有する。リーディングした接続情報に基づいて端末装置１００と接続して通信を行う。第３外部装置１００ｃは、コンテンツ共有モードを実行中の状態で、端末装置１００とタグ付けされて通信接続が行われてよい。すなわち、通信部１１０は、接続情報に応じて外部装置と通信を接続する。そして、制御部１３０は、通信が接続されると、同期化信号及び再生中のコンテンツを外部装置に伝送するように通信部１１０を制御する。
【０１１１】
または、端末装置１００と同様のＡＰ（Ａｃｃｅｓｓ  Ｐｏｉｎｔ）に接続されている場合、第３外部装置１００ｃは、待ち受け状態または他のアプリケーション実行状態でタグ付け動作と同時に、自動的にコンテンツ共有モードに切り替えられて受信されるコンテンツを再生することができるアプリケーションを実行して端末装置１００と同期化して受信されたコンテンツを再生することができる。コンテンツ共有モードは、コンテンツを受信するための端末装置１００と通信接続、コンテンツ及び同期化情報を送受信する過程を含み、コンテンツを再生するためのアプリケーションを実行させる過程を含む。例えば、コンテンツ実行アプリケーションは、音楽コンテンツの場合、音楽再生プレーヤ、動画コンテンツの場合、動画再生プレーヤを実行させることができる。
【０１１２】
勿論、第３外部装置１００ｃは、コンテンツ再生は第１及び第２外部装置１００ａ、１００ｂと同期化して再生されてよい。第３外部装置１００ｃの画面は、タグ付け動作によって同期化して再生できるアプリケーションが表示されてよい。
【０１１３】
図１４の（２）によると、第３外部装置１００ｃは、タグ付け動作によってＭｕｓｉｃ  Ｂを端末装置１００から受信し、第１及び第２外部装置１００ａ、１００ｂと同期化してＭｕｓｉｃ  Ｂを再生することができる。すなわち、端末装置の画面５７及び第１ないし第３外部装置の画面５７ａ、５７ｂ、５７ｃは、再生されているコンテンツのＭｕｓｉｃ  Ｂを表示し、現在の再生時点の００：１４を表示している。このように、端末装置１００は、コンテンツを共有して再生している途中に、他外部装置をタグ付けして他外部装置と同期化してコンテンツを共有することができる。すなわち、制御部１３０は、マルチメディア部１４０でコンテンツが再生中の状態で、通信が接続されると、再生中のコンテンツのうち、通信接続時点で未再生のコンテンツ部分をタグ付けされた外部装置にストリーミング方式で伝送するように通信部１１０を制御することができる。このようなタグ付け動作によるコンテンツ共有のために、端末装置１００と第３外部装置１００ｃは、近距離通信モジュール１１３、１１３ｃを備える。
【０１１４】
図１４においては、端末装置１００が複数の外部装置１００ａ、１００ｂとコンテンツを同期化させ、再生中の際、新規外部装置１００ｃがタグ付けされる場合を中心に説明してきた。しかし、端末装置１００が最初に一つの外部装置をタグ付けされ、端末装置１００と一つの外部装置とがコンテンツを同期化させて再生することができる。具体的な過程は、図１４で説明した過程と類似している。
【０１１５】
図１５は、本発明の別の実施形態に係る端末装置のブロック図である。すなわち、近距離通信モジュール１１３を含む端末装置１００のブロック図である。
【０１１６】
第３外部装置１００ｃが、端末装置１００の方向に移動して、タグ付けが行われると、端末装置１００に備えられた近距離通信モジュール１１３は、第３外部装置１００ｃに備えられた近距離通信モジュール１１３ｃの情報を読み取る。
【０１１７】
ここで、タグ付けとは、端末装置及び第３外部装置１００、１００ｃのうち、少なくとも一つが近距離無線通信が行われる通信可能な範囲内に移動するようになる行為を意味する。このような領域内に近接すると、第３外部装置１００ｃ内の近距離通信モジュール１１３ｃでは、端末装置１００内の近距離通信モジュール１１３に記録された情報を読み取る（ｒｅａｄｉｎｇ）ことができる。近距離無線通信方式の例としては、ＮＦＣ（Ｎｅａｒ  Ｆｉｅｌｄ  Ｃｏｍｍｕｎｉｃａｔｉｏｎ）が使用されてよい。ＮＦＣとは、１３．５６Ｍｚ周波数帯域を使用する非接触式の近距離無線通信方式である。ＮＦＣ技術を利用すると、複数の端末機が約１０ｃｍ以内のように、近距離に接近した際、データが送受信されてよい。
【０１１８】
図１５によると、端末装置１００は近距離通信モジュール１１３を含む通信部１１０と、制御部１３０とを含み、第３外部装置１００ｃは近距離通信モジュール１１３ｃを含む通信部１１０ｃと、制御部１３０ｃとを含む。近距離無線モジュール１１３、１１３ｃは、近距離無線通信タグ（図示せず）と近距離無線通信リーダ（図示せず）とを含む。
【０１１９】
近距離無線通信タグは、集積回路（Ｉｎｔｅｇｒａｔｅｄ  Ｃｉｒｃｕｉｔ：ＩＣ）及びアンテナコイルで構成されてよい。近距離無線通信タグは、近距離無線通信リーダが備えられた第３外部装置１００ｃとタグ付けされると、近距離無線通信リーダから発せられる電磁波によって駆動され、接続情報が盛り込まれたＲＦ信号を伝送する。
【０１２０】
すなわち、近距離無線通信タグ内のアンテナコイルでは、近距離無線通信リーダから発せられる電磁波によって電流が誘導される。誘導された電流は、近距離無線通信タグ内に備えられたキャパシタに充電される。集積回路は、キャパシタに充電された電流によって駆動され、予め保存された接続情報を変調及びコーディングしてＲＦ信号を生成する。
【０１２１】
近距離無線通信タグは、多様な種類の変調技術及びコーディング方式のうち、予め設定された変調技術及びコーディング方式によってＲＦ信号を生成することができる。すなわち、変調とは、近距離無線通信タグ及び近距離無線通信リーダの間で交換されるＲＦキャリア信号の振幅、周波数、位相等を変化させてデータを載せる技術を意味する。変調には、振幅偏移変調（Ａｍｐｌｉｔｕｄｅ  Ｓｈｉｆｔ  Ｋｅｙｉｎｇ：ＡＳＫ）、周波数偏移変調（Ｆｒｅｑｕｅｎｃｙ  Ｓｈｉｆｔ  Ｋｅｙｉｎｇ：ＦＳＫ）、移動偏移変調（Ｐｈａｓｅ  Ｓｈｉｆｔ  Ｋｅｙｉｎｇ：ＰＳＫ）技術等が使用されてよい。ＡＳＫ方式は、デジタル形態の情報信号（Ｉｎｆｏｒｍａｔｉｏｎ  ｓｉｇｎａｌ）が０か１かによって、キャリア信号（ｃａｒｒｉｅｒ  ｓｉｇｎａｌ）の振幅を変化（ｓｈｉｆｔ）させる方式である。仮に、情報信号が０である場合に、搬送信号の振幅を小さくし、１である場合には、振幅を大きくして伝送する。２段階の振幅を使用すると、１ビットを伝送することができるが、４段階の互いに異なる振幅を使用すると、２ビットを同時に伝送することができる。ＦＳＫ方式は、デジタル信号の０と、１ビットを２種類（低周波、高周波）の周波数にそれぞれ割り当てて伝送する方式である。仮に、情報信号が０である場合には、搬送周波数より低い周波数として、１である場合は、搬送周波数より高い周波数を発生させて伝送する方式である。ＰＳＫ方式は、伝送されるデータによって搬送波の位相を変更する方式である。位相の変化量は、データによって決定される。伝送するデータが０である場合には、搬送波の位相を１８０度変化させ、１である場合には、９０度変化させて情報をビット単位で一つずつ伝送する。
【０１２２】
その他に、コーディング方式としては、Ｍｏｄｉｆｉｅｄ  Ｍｉｌｌｅｒコーディング方式とマンチェスター（Ｍａｎｃｈｅｓｔｅｒ）コーディング方式が利用されてよい。
【０１２３】
本実施形態に係る近距離無線通信タグで使用する変調技術及びコーディング方式は、機器の種類及び通信速度を考慮して適切に設定されてよい。仮に、近距離無線通信タグが電池を備えず、近距離無線通信リーダで発する電磁波によって誘導される電流によって駆動される手動型の場合、ＡＳＫ技術及びマンチェスターコーディング方式が適用されてよい。一方、近距離無線通信タグが自家電力を保持した状態で、外部の近距離無線通信リーダと通信する能動型の場合、１０６ｋｂｐｓ速度ではＡＳＫ及びＭｏｄｉｆｉｅｄ  Ｍｉｌｌｅｒコーディング方式が適用され、２１２ｋｂｐｓ、４２４ｋｂｐｓ測定ではＡＳＫ及びマンチェスター方式が適用されてよい。
【０１２４】
以上で説明したように、近距離無線通信タグは、近距離無線通信リーダを備えた第３外部装置１００ｃとの近距離通信タグ付けが行われると、接続情報を第３外部装置１００ｃに提供する。接続情報は、近距離無線通信タグ内の保存素子または端末装置１００そのものに内蔵された保存素子から提供されてよい。接続情報とは、端末装置１００との通信接続のための情報を意味する。具体的には、接続情報は、端末装置１００のＳＳＩＤ（Ｓｅｒｖｉｃｅ  Ｓｅｔ  ＩＤｅｎｔｉｆｉｅｒ）及びキー（Ｋｅｙ）を含む。制御部１３０は、無線通信機能を実行させ、第３外部装置１００ｃが通信接続ができるように通信部１１０を制御する。
【０１２５】
近距離無線通信リーダは、端末装置１００との近距離無線通信タグ付けが行われると、端末装置１００に備えられた近距離無線通信タグにアクセスして接続情報を読み取る。近距離無線通信リーダは、無線周波数モジュール及びアンテナコイルで構成されてよい。近距離無線通信リーダは、アンテナコイルを通じて電磁波を発する。それにより、近距離無線通信タグで、電磁気誘導方式によって電流が誘導され、集積回路が駆動されるようになる。近距離無線通信タグの集積回路は、上述のように、接続情報を含むＲＦ信号を伝送する。近距離無線通信リーダ内の無線周波数モジュールは、アンテナコイルを通じてＲＦ信号を受信し、受信されたＲＦ信号に対して復調及びデコード作業を行ってＲＦ信号に盛り込まれた接続情報を検出する。復調及びデコードは、近距離無線通信タグに使用された変調及びコーディング方式に合致する方式で行うことができるため、繰り返し説明は省略する。制御部１３０ｃは、近距離無線通信リーダを通じて接続情報が受信されると、端末装置１００に接続するように通信１１０ｃを制御する。
【０１２６】
通信部１１０ｃは、近距離無線通信リーダから読み取った接続情報を用いて、端末装置１００に接続して通信を行う。端末装置１００との通信方式としては、Ｗｉ−Ｆｉ、ブルートゥース、Ｚｉｇｂｅｅ（登録商標）等のような多様な通信方式の一つが利用されてよい。
【０１２７】
図１６は、本発明の一実施形態に係る近距離無線通信を用いて外部装置をグルーピングする過程を説明する図である。
【０１２８】
図１６の（１）を参照すると、端末装置１００はＭｕｓｉｃ  Ｂを再生しており、再生画面５９をディスプレイしている。ユーザは、端末装置１００で設定された複数のグループのうちの一つのグループを選択することができる。図１６によると、ユーザはＡグループ１５を選択している。端末装置１００は、再生するコンテンツと別途にディスプレイ部１２０の一領域に選択されたＡグループ１５をディスプレイする。Ａグループ１５は、端末装置Ａ、端末装置Ｂを含んでおり、Ｍｕｓｉｃ  Ａを同期化させて再生している。
【０１２９】
このとき、端末装置Ｃ１００ｃがコンテンツを伝送している端末装置１００にタグ付けされる。端末装置Ｃ１００ｃのタグ付け動作によるコンテンツを伝送している端末装置１００と接続過程については、既に説明しているため省略する。
【０１３０】
図１６の（２）を参照すると、タグ付けされた端末装置Ｃ１００ｃは、コンテンツを伝送している端末装置１００でディスプレイされたＡグループ１５に含まれる。コンテンツを伝送している端末装置１００は、Ａグループ１５に伝送するＭｕｓｉｃ  Ａをタグ付けされた端末装置Ｃ１００ｃに伝送する。端末装置Ｃ１００ｃは、タグ付け前にコンテンツ共有モードに設定した後、コンテンツを伝送している端末装置１００とタグ付けされてコンテンツを共有することができる。または、コンテンツを伝送している端末装置１００と同一のＡＰに接続されている場合、待ち受け状態または別のアプリケーション実行状態でタグ付け動作によって自動的にコンテンツ共有モードに切り替えられてよい。
【０１３１】
端末装置Ｃ１００ｃは、Ａグループ１５に含まれた端末装置Ａ、端末装置Ｂと同期化したＭｕｓｉｃ  Ａを再生する。すなわち、図１６の（２）を参照すると、コンテンツを伝送する端末装置１００は、Ｍｕｓｉｃ  Ｂを再生中の画面５９と選択されたＡグループ１５をディスプレイする。端末装置Ｃ１００ｃは、Ａグループに含まれ、Ａグループの電子装置に伝送されるＭｕｓｉｃ  Ａを再生する画面５９ｃをディスプレイする。例えば、端末装置Ｃ１００ｃは、音楽に対応する表示映像、再生時点の表示及び再生コンテンツを制御する制御メニューを表示することができる。
【０１３２】
端末装置１００は、複数の外部装置に同期化してステレオ出力を行う途中に、他外部装置を一つのチャネルグループに含めることもできる。
【０１３３】
一方、複数のグループが設定されている場合、端末装置１００は、新規外部装置とタグ付けされると、グルーピング画面をディスプレイし、グルーピング画面に表示された複数のグループのうちの一つが選択されると、タグ付けされた新規外部装置を選択されたグループに含めることができる。
【０１３４】
図１７は、本発明の別の実施形態に係るステレオで出力する方法を説明する図である。
【０１３５】
図１７の（１）を参照すると、端末装置１００は、複数のチャネルグループを設定してステレオサウンドを同期化して出力している。制御部１３０は、新規外部装置１００ｇがタグ付けされると、同期化信号及びコンテンツのオーディオ信号を構成する複数のチャネルサウンドのうち、予め設定されたチャネルサウンドがタグ付けされた外部装置から出力されるように処理することができる。予め設定されたチャネルサウンドは、端末装置１００で予め設定されたチャネルサウンドであってよく、ユーザによって選択されたチャネルサウンドであってよい。制御部１３０は、一つのコンテンツに含まれたオーディオ信号をコンテンツから検出し、オーディオ信号を互いに異なる複数のチャネルサウンドに分離することができる。例えば、複数のチャネルサウンドは、フロントレフトチャネルサウンド、フロントライトチャネルサウンド、リアレフトチャネルサウンド、リアライトチャネルサウンド、中央チャネルサウンド及びウーファーチャネルサウンド等であってよい。
【０１３６】
Ｍｏｂｉｌｅ  Ａ１００ａは、フロントレフトチャネルサウンドを受信して出力し、Ｍｏｂｉｌｅ  Ｂ１００ｂはフロントライトチャネルサウンドを受信して出力する。Ｍｏｂｉｌｅ  Ｃ１００ｃはリアレフトチャネルサウンドを受信して出力し、Ｍｏｂｉｌｅ  Ｄ１００ｄはリアライトチャネルサウンドを受信して出力する。Ｍｏｂｉｌｅ  Ｅ１００ｅは中央チャネルサウンドを受信して出力し、Ｍｏｂｉｌｅ  Ｆ１００ｆはウーファーチャネルサウンドを受信して出力している。
【０１３７】
ユーザは、端末装置１００でフロントライトチャネルグループ４３ｂを選択する。現在、フロントライトチャネルグループ４３ｂは、Ｍｏｂｉｌｅ  Ｂのみが含まれているため、端末装置１００の画面にはＭｏｂｉｌｅ  Ｂのみが表示されている。このとき、Ｍｏｂｉｌｅ  Ｇ１００ｇがタグ付けされる。Ｍｏｂｉｌｅ  Ｇ１００ｇが端末装置１００とタグ付けされると、端末装置１００とＭｏｂｉｌｅ  Ｇ１００ｇとは、接続情報を送受信して通信を接続する。端末装置１００は、フロントライトチャネルグループにＭｏｂｉｌｅ  Ｇ１００ｇを含める。そして、端末装置１００は、Ｍｏｂｉｌｅ  Ｇ１００ｇにフロントライトチャネルサウンドを同期化させて伝送する。
【０１３８】
Ｍｏｂｉｌｅ  Ｇ１００ｇは、タグ付けの前にコンテンツ共有モードに設定することができる。または、Ｍｏｂｉｌｅ  Ｇ１００ｇが、端末装置１００と同一のＡＰに接続されている場合、待ち受け状態等で自動的にコンテンツ共有モードに切り替えて対応するコンテンツを受信して再生することもできる。
【０１３９】
図１７の（２）を参照すると、Ｍｏｂｉｌｅ  Ｇ１００ｇは、フロントライトチャネルサウンドを端末装置１００から受信して同期化して再生する。端末装置１００のフロントライトチャネルグループ４３ｂには、Ｍｏｂｉｌｅ  Ｂ１００ｂとＭｏｂｉｌｅ  Ｇ１００ｇとが含まれる。端末装置１００は、全チャネルサウンドを含むステレオコンテンツを再生することもでき、特定チャネルサウンドのみを再生することもできる。または、端末装置１００は、コンテンツを再生せずに、各チャネルグループの再生動作の制御のみを行うこともできる。
【０１４０】
場合によって、端末装置１００は、それぞれの外部装置に予め設定されたチャネルサウンド情報、オーディオ信号及び同期化信号を伝送することができる。それぞれの外部装置は、受信されたチャネルサウンド情報を用いて受信されたオーディオ信号からチャネルサウンドを分離し、同期化信号を用いて同期化し、一つのチャネルサウンドを出力することができる。
【０１４１】
これまで、本発明の多様な実施形態に係るコンテンツ共有方法、コンテンツ共有画面について説明してきた。以下では、端末装置の具体的なブロック図について説明する。
【０１４２】
図１８は、本発明の多様な実施形態に係る端末装置の構成を説明するためのブロック図である。
【０１４３】
図１８によると、端末装置１００は、通信部１１０と、ディスプレイ部１２０と、制御部１３０と、マルチメディア部１４０と、撮像部１５０と、センサ部１６０と、入／出力部１７０と、保存部１８０及び電源部１９０を含む。
【０１４４】
通信部１１０は、セルラ通信モジュール１１１と、無線ＬＡＮモジュール１１２と、近距離通信モジュール１１３と、コネクタ１１４と、ＧＰＳモジュール１１５及び放送通信モジュール１１６を含む。
【０１４５】
セルラ通信モジュール１１１は、制御部１３０の制御に応じて、セルラ通信プロトコルによる無線アクセス技術を使用し、端末装置１００が少なくとも一つまたは複数のアンテナ（図示せず）を介して、外部装置（特に、セルラシステムの基地局）と接続されるようにする。
【０１４６】
なお、セルラ通信モジュール１１１は、端末装置１００に入力される電話番号を有する携帯電話、スマートフォン、タブレットパソコンまたは他の装置のような通信可能な他の機器と、音声通話、テレビ電話、ショートテキストメッセージ（Ｓｈｏｒｔ  Ｍｅｓｓａｇｉｎｇ  Ｓｅｒｖｉｃｅ：ＳＭＳ）またはマルチメディアメッセージ（Ｍｕｌｔｉｍｅｄｉａ  Ｍｅｓｓａｇｉｎｇ  Ｓｅｒｖｉｃｅ：ＭＭＳ）を盛り込んだ無線信号を送／受信する。
【０１４７】
無線ＬＡＮモジュール１１２は、制御部１３０の制御に応じて、無線ＡＰ（Ａｃｃｅｓｓ  Ｐｏｉｎｔ）（図示せず）が設置された場所でインターネットに接続されてよい。無線ＬＡＮモジュール１１２は、米国電気電子協会（ＩＥＥＥ）の無線ＬＡＮ規格（ＩＥＥＥ８０２．１１ｘ）をサポートする。
【０１４８】
近距離通信モジュール１１３は、制御部１３０の制御に応じて、端末装置１００と外部機器との間に無線で近距離通信を行うことができる。近距離通信方式は、ブルートゥース（ｂｌｕｅｔｏｏｔｈ（登録商標））、赤外線通信（ＩｒＤＡ）、ＮＦＣ等を含んでよい。
【０１４９】
コネクタ１１４は、ＵＳＢ  ２．０、ＵＳＢ  ３．０、ＨＤＭＩ（登録商標）、ＩＥＥＥ  １３９４等、多様な装置とのインターフェースを提供する。コネクタ１１４は、端末装置１００と外部装置または電源ソースを接続するためのインターフェースとして利用されてよい。制御部１３０の制御によって、コネクタ１１４に接続された有線ケーブルを通じて端末装置１００の保存部１８０に保存されたデータを外部装置に伝送したり、または、外部装置からデータを受信することができる。コネクタ１１４に接続された有線ケーブルを通じて、電源ソースから電源が入力されたり、バッテリ（図示せず）を充電することができる。
【０１５０】
ＧＰＳモジュール１１５は、地球軌道上にある複数のＧＰＳ衛星（図示せず）から電波を受信し、ＧＰＳ衛星（図示せず）から端末装置１００まで電波到達時間（Ｔｉｍｅ  ｏｆ  Ａｒｒｉｖａｌ）及びＧＰＳパラメータを用いて、端末装置１００の位置を算出することができる。
【０１５１】
放送通信モジュール１１６は、制御部１３０の制御に応じて、放送通信アンテナ（図示せず）を通じて放送局から送出される放送信号（例えば、テレビ放送信号、ラジオ放送信号またはデータ放送信号）及び放送付加情報（例えば、ＥＰＳ（Ｅｌｅｃｔｒｉｃ  Ｐｒｏｇｒａｍ  Ｇｕｉｄｅ）またはＥＳＧ（Ｅｌｅｃｔｒｉｃ  Ｓｅｒｖｉｃｅ  Ｇｕｉｄｅ））を受信することができる。
【０１５２】
ディスプレイ部１２０は、制御部１３０に制御に応じて、マルチメディアコンテンツ、イメージ、動画、コンテンツ等を表示する。ディスプレイ部１２０は、タッチ入力機能のない一般のディスプレイパネルで実現されてよく、近接センサやタッチセンサを用いたユーザ操作を認識することができるタッチディスプレイパネルで実現されてよい。タッチディスプレイパネルで実現される場合、ユーザの身体（例えば、親指を含む指）または検知可能な入力手段（例えば、スタイラスペン）を通じて少なくとも一つのタッチジェスチャを入力されることができる。
【０１５３】
このようなユーザインターフェースは、所定のタッチ領域、ソフトキー及びソフトメニューを含んでよい。ディスプレイ部１２０は、ユーザインターフェースを通じて入力される少なくとも一つのタッチジェスチャに対応する電子信号をＬＣＤコントローラ（図示せず）を通じて、ディスプレイ部１２０に伝送することができる。なお、ディスプレイ部１２０は、タッチの連続した動きを検知し、タッチの連続的或いは非連続的な動きに対応する電子信号をＬＣＤコントローラに伝送することができる。
【０１５４】
このようなディスプレイ部１２０は、例えば、抵抗膜（ｒｅｓｉｓｔｉｖｅ）方式、静電容量（ｃａｐａｃｉｔｉｖｅ）方式、赤外線（ｉｎｆｒａｒｅｄ）方式または超音波（ａｃｏｕｓｔｉｃ  ｗａｖｅ）方式で実現されてよい。
【０１５５】
ディスプレイ部１２０は、タッチセンサを通じて検知されたユーザの動作に関する検知信号をデジタル信号（例えば、ＸとＹ座標）に変換して制御部１３０に伝送する。制御部１３０は、受信されたデジタル信号を用いて、ディスプレイ部１２０を介して入力されたユーザの動作に対応する制御動作を行うことができる。例えば、制御部１３０は、ユーザ動作に応答し、ディスプレイ部１２０に表示されたソフトキーが選択されるようにしたり、またはソフトキーに対応するアプリケーションを実行することができる。
【０１５６】
上述のユーザのジェスチャは、ディスプレイ部１２０とユーザの身体またはタッチ可能な入力手段との直接の接触（ｃｏｎｔａｃｔ）に限定されずに、非接触による方式も含む。ディスプレイ部１２０から検出可能なユーザ動作の感度は、端末装置１００の性能または構造に応じて変更されてよい。
【０１５７】
制御部１３０は、ＣＰＵと、端末装置１００の制御のための制御プログラムが保存されたＲＯＭ（Ｒｅａｄ−Ｏｎｌｙ Ｍｅｍｏｒｙ）及び端末装置１００の外部から入力される信号またはデータを記憶したり、端末装置１００で実行される作業のための記憶領域で使用されるＲＡＭ（Ｒａｎｄｏｍ  Ａｃｃｅｓｓ  Ｍｅｍｏｒｙ）を含む。ＣＰＵは、シングルコアプロセッサ、デュアルコアプロセッサ、トリプルコアプロセッサ及びクオードコアプロセッサのうち、少なくとも一つを含んでよい。ＣＰＵ、ＲＯＭ及びＲＡＭは、内部バス（Ｂｕｓ）を介して接続される。
【０１５８】
制御部１３０は、通信部１１０と、ディスプレイ部１２０と、マルチメディア部１４０と、撮像部１５０と、センサ部１６０と、入／出力部１７０と、保存部１８０及び電源部１９０を制御する。
【０１５９】
マルチメディア部１４０は、オーディオ再生モジュール１４１及びビデオ再生モジュール１４２を含む。オーディオ再生モジュール１４１は、制御部１３０の制御によって保存されたり、または、受信されるデジタルオーディオファイル（例えば、ファイル拡張子がｍｐ３、ｗｍａ、ｏｇｇまたはｗａｖのファイル）を再生することができる。ビデオ再生モジュール１４２は、デジタルビデオファイルを再生することができるように、多様な形式のコーデックをサポートする。すなわち、再生しようとするビデオファイルのコーデック形式に合うように予め保存されたコーデックによって、ビデオファイルを再生する。なお、マルチメディア部１４０のオーディオ再生モジュール１４１またはビデオ再生モジュール１４２は、制御部１３０に含まれてよい。
【０１６０】
撮像部１５０は、制御部１３０の制御に応じて、静止イメージまたは動画を撮影する。撮像部１５０は、撮影に必要な光量を提供するサブ光源（例えば、フラッシュ（図示せず））を含んでよい。
【０１６１】
撮像部１５０は、撮像されたイメージを制御部１３０に伝達する。制御部１３０は、イメージを分析し、ユーザの動き或いは形状を検知し（ｄｅｔｅｃｔ）し、検知された動き或いは形状に対応する制御動作を行うことができる。一例として、ユーザの動きとは、撮像部１５０を介して検知されるユーザの手の動きを意味する。ユーザの形状とは、撮像部１５０を介して検知されるユーザの顔の形状を意味してよい。
【０１６２】
更に別の実施形態として、端末装置１００は、赤外線検知器のような別の手段を用いてユーザの動きを検知し、上記動きに応答してアプリケーションを実行或いは制御することができる。
【０１６３】
センサ部１６０は、タッチセンサ１６１と、地磁気センサ１６２と、加速度センサ１６３と、ヒンジセンサ１６４及び近接センサ１６５を含んでよい。
【０１６４】
タッチセンサ１６１は、ユーザのディスプレイ部１２０に対するタッチを検知することができるセンサである。タッチセンサ１６１は、ユーザのタッチを検知する方式に応じて、静電方式と圧電方式とに分けることができる。本発明の一実施形態に係るタッチセンサ１６１は、２種の方式でそれぞれ実現されてよい。タッチセンサ１６１は、ディスプレイパネルとともにディスプレイ部を構成することができる。
【０１６５】
タッチセンサ１６１は、指先のような身体または検知可能な入力手段でタッチスクリーンを押圧し、ディスプレイ画面上に表示された指示を入力することができるセンサを意味する。タッチセンサ１６１は、容量変化、抵抗変化または光量変化を利用する。
【０１６６】
地磁気センサ１６２は、地磁気を検出し、方位角を探知することができる。よって、端末装置１００の方向を認識する。加速度センサ１６３は、出力信号を処理し、物体の加速度、振動、衝撃等の動的力を測定するものとして、端末装置１００の動く速度変化や力の強度を検知する。ヒンジセンサ１６４は、ヒンジは、ヒンジの角度または動き等を検出することができる。近接センサ１６５は、ユーザの端末装置１００に対する物体の接近有無を検出することができる。
【０１６７】
図１８には示していないが、端末装置１００のセンサ部１６０は、重力がどの方向にかかるかを検出することができる重力センサ、既存の加速度センサにそれぞれ回転を施して総６軸を認識することができるジャイロセンサ、イメージのようなコンテンツの横、縦フレームを自動的に検知し、コンテンツを自動回転及び整列させることができるオリエンテーションセンサ、端末装置１００の周辺の光の量を検出する照度センサ、大気の圧力を測定することができる高度測定センサ、物体の色を検出することができるＲＧＢセンサ、超音波や赤外線を用いて距離を測定することができる距離測定センサ、磁場の強度に応じた電圧の変化を用いるホールセンサのうち、少なくとも一つを更に含んでよい。
【０１６８】
センサ部１６０の各センサは、状態を検出し、検出に対応する信号を生成し、制御部１３０に伝送することができる。センサ部１６０のセンサは、端末装置１００の性能に応じて追加されたり削除されてよい。
【０１６９】
入／出力部１７０は、ボタン部１７１と、マイク１７２と、スピーカ１７３及び振動モータ１７４を含む。
【０１７０】
少なくとも一つのボタン部１７１は、端末装置１００のボディ（ｂｏｄｙ）の前面、側面または背面にプッシュ型或いはタッチ型で形成されてよく、電源／ロックボタン、音量調節ボタン、メニューボタン、ホームボタン、「戻る」ボタン（ｂａｃｋ  ｂｕｔｔｏｎ）及び検索ボタンのうち、少なくとも一つを含んでよい。
【０１７１】
マイク１７２は、制御部１３０の制御によって、音声（ｖｏｉｃｅ）またはサウンド（ｓｏｕｎｄ）を受信して電気的な信号を生成する。
【０１７２】
スピーカ１７３は、制御部１３０の制御に応じて、セルラ通信モジュール１１１と、無線ＬＡＮモジュール１１２と、近距離通信モジュール１１３と、マルチメディア部１４０または撮像部１５０の多様な信号（例えば、無線信号、放送信号、デジタルオーディオファイル、デジタル動画ファイルまたは写真撮影等）に対応するサウンドを端末装置１００の外部に出力することができる。
【０１７３】
スピーカ１７３は、端末装置１００が行う機能に対応するサウンド（例えば、電話通話に対応するボタン操作音または通話接続音）を出力することができる。スピーカ１７３は、端末装置１００のボディの適切な位置または位置に一つまたは複数に形成されてよい。一例として、スピーカ１７３は、通話中にユーザの耳に接近するのに適した位置に配置される内部スピーカモジュールと、オーディオ／ビデオファイルの再生や放送の視聴時に使用されるのに適した、より高い出力を有し、端末装置１００のボディの適した位置に配置される外部スピーカモジュールを含んで構成されてよい。
【０１７４】
振動モータ１７４は、制御部１３０の制御に応じて、電気的信号を機械的な振動に変換することができる。例えば、振動モードにある端末装置１００は別の装置（図示せず）から音声通話が受信される場合、振動モータ１７４が動作する。振動モータ１７４は、端末装置１００のボディ内に一つまたは複数で形成されてよい。振動モータ１７４は、ディスプレイ部１２０上で検知されるユーザのタッチジェスチャ及びディスプレイ部１２０上で検知されるタッチの連続した動きに応答して動作することができる。
【０１７５】
保存部１８０は、制御部１３０によって処理された各種マルチメディアデータ、コンテンツデータ、外部ソースから受信されたデータ等を保存する。
【０１７６】
保存部１８０は、端末装置１００または制御部１３０の制御のための制御プログラム及びアプリケーションを保存することができる。以下、“保存部”という用語は、ＲＯＭ、ＲＡＭまたは端末装置１００に着脱自在のメモリカード（例えば、ＳＤカード、メモリスティック）を含むことができる。なお、保存部は、非揮発性メモリ、揮発性メモリ、ハードディスクドライブ（ＨＤＤ）またはソリッドステートドライブ（ＳＳＤ）を含んでよい。
【０１７７】
電源部１９０は、端末装置１００で使用される電源を供給する。電源部１９０は、充電可能なバッテリで実現されてよく、外部供給電源を変換して充電可能なバッテリに供給する電圧変換機を更に含んでよい。
【０１７８】
電源部１９０は、制御部１３０の電源管理制御によって、端末装置１００に最大性能モード、通常モード、節電モード、待ち受けモード等、多様なモードで電源を供給することができる。
【０１７９】
上述の構成を含む端末装置は、各種機能を行うために、システム階層構造を含む。以下では、端末装置のシステム階層構造について説明する。
【０１８０】
図１９は、本発明の一実施形態に係る端末装置のシステム階層構造を説明するための図である。
【０１８１】
端末装置は、ハードウェア１２１０だけでなく、ＯＳ１２２０と、フレームワーク１２３０と、通話アプリケーション１２４１と、マルチメディアアプリケーション１２４２と、カメラアプリケーション１２４３と、ブラウザ１２４４及びジェスチャ認識アプリケーション１２４５のような多様なソフトウェアを含んでよい。
【０１８２】
ハードウェア１２１０は、図１８に示すような多様な構成を含むことができる。
【０１８３】
オペレーティング・システム（Ｏｐｅｒａｔｉｎｇ  Ｓｙｓｔｅｍ：ＯＳ）１２２０は、ハードウェア１２１０の動作全般を制御し、ハードウェア１２１０を管理する機能を実行する。すなわち、ＯＳ１２２０は、ハードウェア管理とメモリ、セキュリティ等の基本的な機能を担う階層である。ＯＳ１２２０は、ディスプレイ部を駆動させるためのディスプレイドライバ、データ送受信のための通信ドライバ、撮像部を駆動させるためのカメラドライバ、オーディオ部を駆動させるためのオーディオドライバ、電源管理者等のモジュールを駆動させてマルチディスプレイ装置の動作を制御する。
【０１８４】
ＯＳ１２２０より上位階層にフレームワーク（Ｆｒａｍｅ  ｗｏｒｋ）階層１２３０が存在する。フレームワーク１２３０は、アプリケーション階層とＯＳ階層１２２０とを接続する役割を担う。すなわち、フレームワーク階層１２３０は、ロケーションマネージャ（ｌｏｃａｔｉｏｎ  ｍａｎａｇｅｒ）、報知マネージャ（ｎｏｔｉｆｉｃａｔｉｏｎ  ｍａｎａｇｅｒ）及びディスプレイ部に映像を表示するためのフレームバッファ（ｆｒａｍｅ  ｂｕｆｆｅｒ）を含む。
【０１８５】
フレームワーク階層１２３０の上部階層には、端末装置１００の多様な機能を実現するアプリケーション階層が存在する。例えば、通話アプリケーション１２４１と、マルチメディアアプリケーション１２４２と、カメラアプリケーション１２４３と、ブラウザアプリケーション１２４４及びジェスチャアプリケーション１２４５等、多様な応用プログラムが含まれてよい。
【０１８６】
端末装置１００は、タッチまたはキーパッドを用いて命令を受信することができるが、近接タッチを検知して命令を受信することもできる。
【０１８７】
図２０は、近接タッチを検知する方法を説明するための図である。近接タッチは、タッチスクリーンを直接タッチせずに、空間上の一定の有効認識範囲から動きが認識される場合、一つのタッチジェスチャとして認識することが意味する。
【０１８８】
ユーザは、特定ペンを用いた近接タッチ方式で端末装置１００に制御命令を入力させることができる。
【０１８９】
図２０を参照すると、ディスプレイパネル７１０と、近接センサソース部７１１及び赤外線センシング部７１２を含む。そして、ディスプレイ部は、静電気センサ部７１３を含む。静電気センサ部７１３は、数個のコイルを含むことができる。
【０１９０】
手のようなユーザ客体が有効認識領域３内に近接すると、赤外線センシング部７１２は、ユーザ客体の近接によって反射される赤外線を検知し、赤外線スキャンイメージを生成する。具体的に、赤外線センシング部７１２は、アレイ形態で配置される複数の赤外線センシング素子を用いて、ユーザ客体の接近によって反射される赤外線に対応する赤外線スキャンイメージを生成することができる。端末装置１００は、生成された赤外線スキャンイメージを用いて近接タッチ入力を検知することができる。
【０１９１】
特定のペンを用いて近接タッチを認識するために、ペン７０はコイルを含むことができる。コイルを含むペン７０が一定距離３内に近接すると、静電気誘導現象によって静電気センサ部７１３のコイルに電柱が誘導される。電流は、ペン７０に近いコイルに最も大きく誘導され、ペン７０から距離が離れるほど次第に小さく誘導される。よって、制御部は、最も大きく電流が誘導される地点がペン７０が位置した地点として認識するようになる。
【０１９２】
図２０に示すディスプレイ部は、赤外線センシング部７１２を含んでいるため、ペン７０が一定距離以内に近接する場合、赤外線センシング部７１２及び静電気センサ部７１３の両方から、ペン７０の接近が認識されてよい。よって、静電気センサ部７１３の近接認識を優先順位として二重認識される問題を解決することができる。
【０１９３】
これまで、端末装置の構成、階層について説明してきた。以下では、端末装置の制御方法について説明する。
【０１９４】
図２１は、本発明の一実施形態に係る端末装置の制御方法のフローチャートである。
【０１９５】
図２１を参照すると、端末装置は通信を行う（Ｓ２１１０）。端末装置は、コンテンツ共有命令が入力されると、通信可能な外部装置を検索する。外部装置は、携帯電話、ノートパソコン、タブレットパソコン、スピーカ、デジタルフォトフレーム、デスクトップ、ＰＤＡ、ＭＰ３、ナビゲーション、モニタ等のように、多様な装置であってよい。コンテンツ共有は、ＤＬＮＡ（Ｄｉｇｉｔａｌ  Ｌｉｖｉｎｇ  Ｎｅｔｗｏｒｋ  Ａｌｌｉａｎｃｅ）等を利用してよい。
【０１９６】
端末装置は、通信可能な外部装置をグルーピングするためのグルーピング画面をディスプレイする（Ｓ２１２０）。端末装置は、コンテンツの選択画面を表示し、コンテンツを選択すると、外部装置をグルーピングするためのグルーピング画面を表示することができる。または、グルーピング画面を表示して外部装置がグルーピングされると、コンテンツ選択画面を表示することもできる。
【０１９７】
端末装置は、グルーピング画面上で外部装置が複数のグループでグルーピングされ、各グループに伝送するコンテンツがグループ別に異なるように選択されると、選択された各コンテンツを対応するグループに属する外部装置に伝送し、各グループ別に同期化したコンテンツ再生動作が行われるように処理する（Ｓ２１３０）。端末装置は、外部装置でコンテンツを同期化して再生することができるように、同期化信号パケットを伝送することができる。例えば、端末装置は、コンテンツＡを再生しつつ、コンテンツＡはＡグループに、コンテンツＢはＢグループに、コンテンツＣはＣグループに伝送することができる。各グループに属する外部装置は、各グループ別に同期化して受信したコンテンツを再生することができる。
【０１９８】
一方、端末装置は、コンテンツ再生動作中に、外部装置に再生中のコンテンツを伝送することもできる。すなわち、端末装置は、コンテンツ再生動作を行う。コンテンツ再生動作が行われる途中に、コンテンツ共有命令が入力されると、端末装置は外部装置と通信を行う。通信可能な外部装置が検索されると、端末装置は、外部装置をグルーピングするためのグルーピング画面をディスプレイする。グルーピング画面上で外部装置が一つのグループにグルーピングされると、端末装置は、再生中のコンテンツをグループに属する外部装置に一括伝送し、グループに属する外部装置のコンテンツ再生動作を端末装置のコンテンツ再生動作と同期化させる。上述の過程を通じて、端末装置は、コンテンツ再生中に外部装置を予め設定されたグループに新たに追加し、コンテンツを伝送して外部装置のコンテンツ再生動作を端末装置のコンテンツ再生動作と同期化させることができる。
【０１９９】
図２２は、本発明の別の実施形態に係る端末装置の制御方法のフローチャートである。
【０２００】
図２２を参照すると、第１近距離通信モジュールを備えた外部装置がタグ付けされると、外部装置の接続情報をリーディング（ｒｅａｄｉｎｇ）する（Ｓ２２１０）。端末装置と外部装置とは、通信を接続するための接続情報を送受信し、多様な通信方式で接続される。例えば、通信方式は、ＢＴ（ＢｌｕｅＴｏｏｔｈ（登録商標））、Ｚｉｇｂｅｅ（登録商標）、ＷＩ−ＦＩ（Ｗｉｒｅｌｅｓｓ  Ｆｉｄｅｌｉｔｙ）等を用いて通信を行うことができる。端末装置は通信を行う（Ｓ２２２０）。端末装置は、外部装置からコンテンツを受信して同期化させ、再生するための同期化情報を送受信する。
【０２０１】
端末装置は、外部装置がタグ付けされると、コンテンツ共有モードに自動切り替え、接続情報に応じて外部装置にアクセスし、外部装置で再生中のコンテンツを受信する（Ｓ２２３０）。端末装置は、コンテンツ共有前に待機状態であってよく、特定アプリケーションが実行されている状態であってよい。コンテンツ共有モードは、端末装置に内蔵されたプログラムであってよく、ダウンロードしてインストールすることができるアプリケーションであってよい。コンテンツ共有モードは、コンテンツ共有を実行するために必要な情報を送受信し、同期化を取る状態を意味し、実際コンテンツはリンクされた別途のアプリケーションを用いて再生されてよい。例えば、端末装置は、音楽コンテンツは音楽プレーヤアプリケーション、動画コンテンツは動画プレーヤアプリケーションを更に実行して再生することができる。端末装置は、受信されたコンテンツを外部装置のコンテンツ再生動作と同期化させて再生する（Ｓ２２４０）。
【０２０２】
すなわち、端末装置はコンテンツを再生する。端末装置は、コンテンツ再生中に外部装置とタグ付けされると、通信接続情報を共有して外部装置と通信を接続する。通信が接続されると、端末装置は同期化信号及び再生中のコンテンツを外部装置に伝送する。
【０２０３】
上述の多様な実施形態に係る端末装置の動作制御方法は、プログラムで実現され、端末装置に提供されてよい。
【０２０４】
一例として、コンテンツを再生するステップと、コンテンツ再生中に外部装置とタグ付けされると、外部装置の接続情報を共有して外部装置と通信接続するステップと、同期化信号及び再生中のコンテンツを外部装置に伝送するステップとをプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０２０５】
非一時的な読み取り可能な媒体とは、レジスタやキャッシュ、メモリ等のように短い間だけデータを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０２０６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０２０７】
１００  端末装置
１１０  通信部
１１１  セルラ通信モジュール
１１２  無線ＬＡＮモジュール
１１３  近距離通信モジュール
１１４  コネクタ
１１５  ＧＰＳモジュール
１１６  放送通信モジュール
１２０  ディスプレイ部
１３０  制御部
１４０  マルチメディア部
１４１  オーディオ再生モジュール
１４２  ビデオ再生モジュール
１５０  撮像部
１６０  センサ部
１６１  タッチセンサ
１６２  地磁気センサ
１６３  加速度センサ
１６４  ヒンジセンサ
１６５  近接センサ
１７０  出力部
１７１  ボタン部
１７２  マイク
１７３  スピーカ
１７４  振動モータ
１８０  保存部
１９０  電源部
２００  ノートパソコン
３００  タブレットパソコン
４００  スピーカ
７１０  ディスプレイパネル
７１１  近接センサソース部
７１２  赤外線センシング部
７１３  静電気センサ部
１１１０  システム階層
１１３０  コンテンツキャスト管理者
１１３１  グループ管理者モジュール
１１３３  装置検索モジュール
１１３５  ストリーマー
１１３５−１  時間同期化モジュール
１１３５−２  セッション制御モジュール
１１３５−３  スケジューラモジュール
１１３５−４  ストリーム伝送者モジュール
１１３５−５  チャネルデマルチプレクサモジュール
１１３５−６  メディアパーサーモジュール
１１５０  共有プレーヤ
１１５１  制御モジュール
１１５１−１  時間同期化モジュール
１１５３  再生モジュール
１１５３−１  時間ハンドラーモジュール
１１５３−２  スケジューラモジュール
１１５３−３  出力制御モジュール
１１７０  コントロールフレームワーク階層
１１９０  アプリケーション階層
【図２】
2014128032.tif 000003
【図３】
2014128032.tif 000004
【図４】
2014128032.tif 000005
【図５】
2014128032.tif 000006
【図６】
2014128032.tif 000007
【図７】
2014128032.tif 000008
【図８】
2014128032.tif 000009
【図９】
2014128032.tif 000010
【図１０】
2014128032.tif 000011
【図１１】
2014128032.tif 000012
【図１２】
2014128032.tif 000013
【図１３】
2014128032.tif 000014
【図１４】
2014128032.tif 000015
【図１５】
2014128032.tif 000016
【図１６】
2014128032.tif 000017
【図１７】
2014128032.tif 000018
【図１８】
2014128032.tif 000019
【図１９】
2014128032.tif 000020
【図２０】
2014128032.tif 000021
【図２１】
2014128032.tif 000022
【図２２】
2014128032.tif 000023
【図１】
2014128032.tif 000024